(57)【要約】【課題】無線通信システムにおける制御情報検出方法を提供する。【解決手段】前記方法は、制御チャネルをモニタリングして、ＣＲＣ（Ｃｙｃｌｉｃ  Ｒｅｄｕｎｄａｎｃｙ  Ｃｈｅｃｋ）エラーを確認する段階、前記ＣＲＣエラーが検出されない制御チャネル上の制御情報に含まれたフィールドのうちエラー確認フィールドの値が特定値と一致するか否かを確認する段階、及び前記エラー確認フィールドの値が前記特定値と一致する場合、前記ＣＲＣエラーが検出されない前記制御チャネル上の前記制御情報を検出する段階を含む。無線通信システムにおいて正確度を高めることができる制御情報検出方法を提供することができる。【選択図】図１４
2010539847.tif 000002
【特許請求の範囲】
【請求項１】
無線通信システムにおける制御情報検出方法において、
制御チャネルをモニタリングして、ＣＲＣ（Ｃｙｃｌｉｃ  Ｒｅｄｕｎｄａｎｃｙ  Ｃｈｅｃｋ）エラーを確認する段階；
前記ＣＲＣエラーが検出されない制御チャネル上の制御情報に含まれたフィールドのうちエラー確認フィールドの値が特定値と一致するか否かを確認する段階；及び
前記エラー確認フィールドの値が前記特定値と一致する場合、前記ＣＲＣエラーが検出されない前記制御チャネル上の前記制御情報を検出する段階；
を含む制御情報検出方法。
【請求項２】
前記制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）であることを特徴とする請求項１に記載の制御情報検出方法。
【請求項３】
前記制御チャネルのＣＲＣには半持続的スケジューリング活性化を指示するための半持続的Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）がマスキングされることを特徴とする請求項１に記載の制御情報検出方法。
【請求項４】
前記制御チャネルのモニタリングは、ＣＲＣに前記半持続的Ｃ−ＲＮＴＩをデマスキング（ｄｅｍａｓｋｉｎｇ）した後に前記ＣＲＣエラーを確認することを特徴とする請求項３に記載の制御情報検出方法。
【請求項５】
前記制御情報は、ＶｏＩＰ（Ｖｏｉｃｅ  ｏｖｅｒ  Ｉｎｔｅｒｎｅｔ  Ｐｒｏｔｏｃｏｌ）のためのリソース割当情報の半持続スケジューリング活性化を指示することを特徴とする請求項１に記載の制御情報検出方法。
【請求項６】
前記リソース割当情報を用いて一定期間中ＰＤＳＣＨ（Ｐｈｙｓｉｃａｌ  Ｄｏｗｎｌｉｎｋ  Ｓｈａｒｅｄ  Ｃｈａｎｎｅｌ）上にＶｏＩＰデータを受信する段階をさらに含むことを特徴とする請求項５に記載の制御情報検出方法。
【請求項７】
前記リソース割当情報を用いて一定期間中ＰＵＳＣＨ（Ｐｈｙｓｉｃａｌ  Ｕｐｌｉｎｋ  Ｓｈａｒｅｄ  Ｃｈａｎｎｅｌ）上にＶｏＩＰデータを伝送する段階をさらに含むことを特徴とする請求項５に記載の制御情報検出方法。
【請求項８】
前記制御情報は、半持続スケジューリング活性化の非活性化を指示することを特徴とする請求項１に記載の制御情報検出方法。
【請求項９】
無線信号を受信するＲＦ（Ｒａｄｉｏ  Ｆｒｅｑｕｅｎｃｙ）部；及び
前記ＲＦ部と連結されて、
制御チャネルをモニタリングして、ＣＲＣエラーを確認して、
前記ＣＲＣエラーが検出されない制御チャネル上の制御情報に含まれたフィールドのうちエラー確認フィールドの値が特定値と一致するか否かを確認して、
前記エラー確認フィールドの値が前記特定値と一致する場合、前記ＣＲＣエラーが検出されない前記制御チャネル上の前記制御情報を検出するプロセッサを含むことを特徴とする端末。
【請求項１０】
前記制御チャネルのＣＲＣには半持続的スケジューリング活性化を指示するための半持続的Ｃ−ＲＮＴＩがマスキングされることを特徴とする請求項９に記載の端末。
【請求項１１】
前記制御チャネルのモニタリングは、ＣＲＣに前記半持続的Ｃ−ＲＮＴＩをデマスキングした後に前記ＣＲＣエラーを確認することを特徴とする請求項９に記載の端末。
【請求項１２】
前記制御情報は、ＶｏＩＰのためのリソース割当情報の半持続スケジューリング活性化を指示することを特徴とする請求項９に記載の端末。
【請求項１３】
無線通信システムにおける制御情報伝送方法において、
特定値を有するエラー確認フィールドを含む制御情報を生成する段階；及び
前記制御情報にＣＲＣを付加して制御チャネル上に伝送する段階；を含み、
前記エラー確認フィールドの特定値及び前記ＣＲＣに従って前記制御情報の成功的受信を確認するようにすることを特徴とする制御情報伝送方法。
【発明の詳細な説明】
【技術分野】
【０００１】
本発明は、無線通信に関し、より詳しくは、無線通信システムにおける制御情報検出方法に関する。
【背景技術】
【０００２】
無線通信システムにおいて、一般的に一つの基地局は、複数の端末にサービスを提供する。基地局は、複数の端末に対する使用者データをスケジューリングし、前記使用者データに対するスケジューリング情報を含めた制御情報（Ｃｏｎｔｒｏｌ  Ｉｎｆｏｒｍａｔｉｏｎ）を使用者データと共に伝送する。一般的に前記制御情報を運ぶチャネルを制御チャネルといい、使用者データを運ぶチャネルをデータチャネルという。端末は、制御チャネルをモニタリングして自分の制御情報を探して、前記制御情報を用いて自分のデータを処理する。
【０００３】
端末が自分に割り当てられた使用者データを受信するためには制御チャネル上の使用者データに対する制御情報を必ず受信しなければならない。然しながら、与えられた帯域幅で複数の端末の制御情報は、一つの伝送間隔（ｔｒａｎｓｍｉｓｓｉｏｎ  ｉｎｔｅｒｖａｌ）内で多重化（ｍｕｌｔｉｐｌｅｘｉｎｇ）されることが一般的である。即ち、基地局は、複数の端末にサービスを提供するために複数の端末に対する制御情報を多重化して複数の制御チャネルを介して伝送する。端末は、複数の制御チャネルのうち自分の制御チャネルを探す。
【０００４】
多重化された制御情報のうちから特定制御情報を検出する技法のうち一つがブラインド検出（ｂｌｉｎｄ  ｄｅｔｅｃｔｉｏｎ）である。ブラインド検出は、端末が制御チャネルの復旧に必要な情報のない状態で複数の組合せの情報を用いて制御チャネルを復旧するための試みをすることである。即ち、端末は、基地局から伝送された制御情報が自分の制御情報であるか否か知らなく、自分の制御情報がどの部分に位置するか知らない状態で自分の制御情報をさがす時まで与えられた全ての制御情報をデコーディングする。端末が自分の制御情報であるか否かを判別するためには端末の固有情報を用いることができる。例えば、基地局が各端末の制御情報を多重化させる時、各端末の固有識別子をＣＲＣ（Ｃｙｃｌｉｃ  Ｒｅｄｕｎｄａｎｃｙ  Ｃｈｅｃｋ）にマスキングさせて伝送することができる。ＣＲＣは、エラー検出に使われる符号（ｃｏｄｅ）である。端末は、受信した制御情報のＣＲＣに自分の固有識別子をデマスキングした後、ＣＲＣチェックをして自分の制御情報であるか否かを判断することができる。
【０００５】
然しながら、端末がＣＲＣエラー検出を介する制御チャネルモニタリングの際、他の端末の制御チャネルであるにもかかわらずＣＲＣエラー検出がされなく、正しくデコーディングされたと認識するエラーが発生できる。半持続的スケジューリング（Ｓｅｍｉ−Ｐｅｒｓｉｓｔｅｎｔ  Ｓｃｈｅｄｕｌｉｎｇ、ＳＰＳ）の場合、ＣＲＣエラー検出が誤っている場合、一層問題となる。半持続的スケジューリングの場合、端末は、無線リソースを割り当てる制御情報受信の後、半持続的スケジューリング区間中前記制御情報で割り当てられた無線リソースを介してデータを伝送したり、受信するためである。これは限定された無線リソースを無駄にし、無線通信の信頼度を落とす。従って、正確度を高めることができる制御情報検出方法が必要である。
【発明の概要】
【発明が解決しようとする課題】
【０００６】
本発明が解決しようとする技術的課題は、無線通信システムにおける制御情報検出方法を提供することである。
【課題を解決するための手段】
【０００７】
一態様において、無線通信システムにおける制御情報検出方法を提供する。前記方法は、制御チャネルをモニタリングして、ＣＲＣ（Ｃｙｃｌｉｃ  Ｒｅｄｕｎｄａｎｃｙ  Ｃｈｅｃｋ）エラーを確認する段階、前記ＣＲＣエラーが検出されない制御チャネル上の制御情報に含まれたフィールドのうちエラー確認フィールドの値が特定値と一致するか否かを確認する段階、及び前記エラー確認フィールドの値が前記特定値と一致する場合、前記ＣＲＣエラーが検出されない前記制御チャネル上の前記制御情報を検出する段階を含む。
【０００８】
他の態様において、無線信号を受信するＲＦ（Ｒａｄｉｏ  Ｆｒｅｑｕｅｎｃｙ）部、及び前記ＲＦ部と連結されて、制御チャネルをモニタリングして、ＣＲＣエラーを確認して、前記ＣＲＣエラーが検出されない制御チャネル上の制御情報に含まれたフィールドのうちエラー確認フィールドの値が特定値と一致するか否かを確認して、前記エラー確認フィールドの値が前記特定値と一致する場合、前記ＣＲＣエラーが検出されない前記制御チャネル上の前記制御情報を検出するプロセッサを含む端末を提供する。
【０００９】
他の態様において、無線通信システムにおける制御情報伝送方法を提供する。前記方法は、特定値を有するエラー確認フィールドを含む制御情報を生成する段階、及び前記制御情報にＣＲＣを付加して制御チャネル上に伝送する段階を含み、前記エラー確認フィールドの特定値及び前記ＣＲＣに従って前記制御情報の成功的受信を確認するようにする。
【発明の効果】
【００１０】
無線通信システムにおいて正確度を高めることができる制御情報検出方法を提供することができる。エラー確認フィールドの特定値は、仮想（ｖｉｒｔｕａｌ）ＣＲＣとして活用することができる。端末は、制御情報検出の際、仮想ＣＲＣを介してＣＲＣエラーチェックの正確度を高めることができる。即ち、無線リソースを效率的に活用することができ、且つ制御情報の正確な検出が可能になる。従って、全体システム性能が向上されることができる。
【図面の簡単な説明】
【００１１】
【図１】無線通信システムを示すブロック図である。
【図２】Ｅ−ＵＴＲＡＮとＥＰＣとの間の機能分割を示すブロック図である。
【図３】端末の要素を示すブロック図である。
【図４】使用者平面に対する無線プロトコル構造を示すブロック図である。
【図５】制御平面に対する無線プロトコル構造を示すブロック図である。
【図６】ダウンリンク論理チャネルとダウンリンク伝送チャネルとの間のマッピングを示す。
【図７】ダウンリンク伝送チャネルとダウンリンク物理チャネルとの間のマッピングを示す。
【図８】無線フレームの構造を示す。
【図９】一つのダウンリンクスロットに対するリソースグリッドを示す例示図である。
【図１０】サブフレームの構造を示す。
【図１１】ＰＤＣＣＨの構成を示すフローチャートである。
【図１２】ＰＤＣＣＨ処理を示すフローチャートである。
【図１３】ＤＣＩフォーマットを構成する複数の情報フィールドのうち使われない情報フィールドを活用することができる方法の例を示す。
【図１４】本発明の実施例に係る制御情報検出方法を示す。
【図１５】動的スケジューリング方式を用いたダウンリンクデータ伝送を示す流れ図である。
【図１６】動的スケジューリング方式を用いたアップリンクデータ伝送を示す流れ図である。
【図１７】ＶｏＩＰにおけるトラフィックモデルを示す例示図である。
【図１８】半持続的スケジューリング方式を用いたダウンリンクデータ伝送を示す流れ図である。
【図１９】半持続的スケジューリング方式を用いたアップリンクデータ伝送を示す流れ図である。
【発明を実施するための形態】
【００１２】
図１は、無線通信システムを示すブロック図である。これはＥ−ＵＭＴＳ（Ｅｖｏｌｖｅｄ−Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造であってもよい。Ｅ−ＵＭＴＳシステムは、ＬＴＥ（Ｌｏｎｇ  Ｔｅｒｍ  Ｅｖｏｌｕｔｉｏｎ）システムということもできる。無線通信システムは、音声、パケットデータなどのような多様な通信サービスを提供するために広く配置される。
【００１３】
図１を参照すると、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）は、制御平面（ｃｏｎｔｒｏｌ  ｐｌａｎｅ）及び使用者平面（ｕｓｅｒ  ｐｌａｎｅ）を提供する基地局（２０；Ｂａｓｅ  Ｓｔａｔｉｏｎ、ＢＳ）を含む。
【００１４】
端末（１０；Ｕｓｅｒ  Ｅｑｕｉｐｍｅｎｔ、ＵＥ）は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）等、他の用語で呼ばれることができる。基地局（２０）は、一般的に端末（１０）と通信する固定された地点（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局（２０）は、少なくとも一つのセルに対してサービスを提供できる。セルは、基地局（２０）が通信サービスを提供する領域である。基地局（２０）間には使用者トラフィックあるいは制御トラフィック伝送のためのインターフェースが使われてもよい。以下、ダウンリンク（ｄｏｗｎｌｉｎｋ）は、基地局（２０）から端末（１０）への通信を意味して、アップリンク（ｕｐｌｉｎｋ）は、端末（１０）から基地局（２０）への通信を意味する。
【００１５】
基地局（２０）は、Ｘ２インターフェースを介してお互いに連結される。基地局（２０）は、Ｓ１インターフェースを介してＥＰＣ（Ｅｖｏｌｖｅｄ  Ｐａｃｋｅｔ  Ｃｏｒｅ）、より詳しくは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ、３０）と連結される。Ｓ１インターフェースは、基地局（２０）とＭＭＥ／Ｓ−ＧＷ（３０）との間に多対多関係（ｍａｎｙ−ｔｏ−ｍａｎｙ−ｒｅｌａｔｉｏｎ）を支援する。
【００１６】
無線通信システムは、ＭＩＭＯ（Ｍｕｌｔｉｐｌｅ  Ｉｎｐｕｔ  Ｍｕｌｔｉｐｌｅ  Ｏｕｔｐｕｔ）システム、ＭＩＳＯ（Ｍｕｌｔｉｐｌｅ  Ｉｎｐｕｔ  Ｓｉｎｇｌｅ  Ｏｕｔｐｕｔ）システムだけでなく、ＳＩＳＯ（Ｓｉｎｇｌｅ  Ｉｎｐｕｔ  Ｓｉｎｇｌｅ  Ｏｕｔｐｕｔ）システムやＳＩＭＯ（Ｓｉｎｇｌｅ  Ｉｎｐｕｔ  Ｍｕｌｔｉｐｌｅ  Ｏｕｔｐｕｔ）システムであってもよい。ＭＩＭＯは、多重送信アンテナ及び多重受信アンテナを使用してデータの送受信効率と、スペクトラム効率（ｓｐｅｃｔｒａｌ  ｅｆｆｉｃｉｅｎｃｙ）を向上させる。ＭＩＭＯ技術には空間ダイバーシティ（Ｓｐａｔｉａｌ  ｄｉｖｅｒｓｉｔｙ）、空間多重化（Ｓｐａｔｉａｌ  ｍｕｌｔｉｐｌｅｘｉｎｇ）及びビームフォーミング（Ｂｅａｍ  ｆｏｒｍｉｎｇ）などがある。
【００１７】
図２は、Ｅ−ＵＴＲＡＮとＥＰＣとの間の機能分割（ｆｕｎｃｔｉｏｎａｌ  ｓｐｌｉｔ）を示すブロック図である。斜線を引いたボックスは、無線プロトコル階層（ｒａｄｉｏ  ｐｒｏｔｏｃｏｌ  ｌａｙｅｒ）を示して、空のボックスは、制御平面の機能的個体（ｆｕｎｃｔｉｏｎａｌ  ｅｎｔｉｔｙ）を示す。
【００１８】
図２を参照すると、基地局は、次のような機能を遂行する。（１）無線ベアラ制御（Ｒａｄｉｏ  Ｂｅａｒｅｒ  Ｃｏｎｔｒｏｌ）、無線アドミッション制御（Ｒａｄｉｏ  Ａｄｍｉｓｓｉｏｎ  Ｃｏｎｔｒｏｌ）、連結移動性制御（Ｃｏｎｎｅｃｔｉｏｎ  Ｍｏｂｉｌｉｔｙ  Ｃｏｎｔｒｏｌ）、端末への動的リソース割当（Ｄｙｎａｍｉｃ  Ｒｅｓｏｕｒｃｅ  Ａｌｌｏｃａｔｉｏｎ）のような無線リソース管理（Ｒａｄｉｏ  Ｒｅｓｏｕｒｃｅ  Ｍａｎａｇｅｍｅｎｔ；ＲＲＭ）機能、（２）ＩＰ（Ｉｎｔｅｒｎｅｔ  Ｐｒｏｔｏｃｏｌ）ヘッダ圧縮及び使用者データストリームの解読（ｅｎｃｒｙｐｔｉｏｎ）、（３）Ｓ−ＧＷへの使用者平面データのルーティング（ｒｏｕｔｉｎｇ）、（４）ページング（ｐａｇｉｎｇ）メッセージのスケジューリング及び伝送、（５）ブロードキャスト（ｂｒｏａｄｃａｓｔ）情報のスケジューリング及び伝送、（６）移動性及びスケジューリングのための測定と測定報告設定。
【００１９】
ＭＭＥは、次のような機能を遂行する。（１）ＮＡＳ（Ｎｏｎ−Ａｃｃｅｓｓ  Ｓｔｒａｔｕｍ）シグナリング、（２）ＮＡＳシグナリング保安（ｓｅｃｕｒｉｔｙ）、（３）アイドルモードＵＥ到達性（Ｉｄｌｅ  ｍｏｄｅ  ＵＥ  Ｒｅａｃｈａｂｉｌｉｔｙ）、（４）トラッキング領域リスト管理（Ｔｒａｃｋｉｎｇ  Ａｒｅａ  ｌｉｓｔ  ｍａｎａｇｅｍｅｎｔ）、（５）ローミング（Ｒｏａｍｉｎｇ）、（６）認証（Ａｕｔｈｅｎｔｉｃａｔｉｏｎ）。
【００２０】
Ｓ−ＧＷは、次のような機能を遂行する。（１）移動性アンカリング（ｍｏｂｉｌｉｔｙ  ａｎｃｈｏｒｉｎｇ）、（２）合法的盗聴（ｌａｗｆｕｌ  ｉｎｔｅｒｃｅｐｔｉｏｎ）。Ｐ−ＧＷ（ＰＤＮ−Ｇａｔｅｗａｙ）は、次のような機能を遂行する。（１）端末ＩＰ（ｉｎｔｅｒｎｅｔ  ｐｒｏｔｏｃｏｌ）割当（ａｌｌｏｃａｔｉｏｎ）、（２）パケットフィルタリング。
【００２１】
図３は、端末の要素を示すブロック図である。端末（５０）は、プロセッサ（ｐｒｏｃｅｓｓｏｒ、５１）、メモリ（ｍｅｍｏｒｙ、５２）、ＲＦ部（ＲＦ（Ｒａｄｉｏ  Ｆｒｅｑｕｅｎｃｙ）ｕｎｉｔ、５３）、ディスプレー部（ｄｉｓｐｌａｙ  ｕｎｉｔ、５４）、使用者インターフェース部（ｕｓｅｒ  ｉｎｔｅｒｆａｃｅ  ｕｎｉｔ、５５）を含む。プロセッサ（５１）は、無線インターフェースプロトコルの階層が具現されて、制御平面及び使用者平面を提供する。各階層の機能は、プロセッサ（５１）を介して具現されることができる。メモリ（５２）は、プロセッサ（５１）と連結されて、端末駆動システム、アプリケーション及び一般的なファイルを格納する。ディスプレー部（５４）は、端末の多様な情報をディスプレーして、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）など、よく知られた要素を使用してもよい。使用者インターフェース部（５５）は、キーパッドやタッチスクリーンなど、よく知られた使用者インターフェースの組合せでなることができる。ＲＦ部（５３）は、プロセッサと連結されて、無線信号（ｒａｄｉｏ  ｓｉｇｎａｌ）を送信及び／または受信する。
【００２２】
端末とネットワークとの間の無線インターフェースプロトコル（ｒａｄｉｏ  ｉｎｔｅｒｆａｃｅ  ｐｒｏｔｏｃｏｌ）の階層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づいて第１の階層（Ｌ１）、第２の階層（Ｌ２）、第３の階層（Ｌ３）に区分されることができる。この中から第１の階層に属する物理階層は、物理チャネル（ｐｈｙｓｉｃａｌ  ｃｈａｎｎｅｌ）を用いた情報伝送サービス（ｉｎｆｏｒｍａｔｉｏｎ  ｔｒａｎｓｆｅｒ  ｓｅｒｖｉｃｅ）を提供して、第３の階層に位置する無線リソース制御（ｒａｄｉｏ  ｒｅｓｏｕｒｃｅ  ｃｏｎｔｒｏｌ；以下、ＲＲＣという）階層は、端末とネットワークとの間に無線リソースを制御する役割を遂行する。このために、ＲＲＣ階層は、端末とネットワークとの間にＲＲＣメッセージをお互いに交換する。
【００２３】
図４は、使用者平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図５は、制御平面（ｃｏｎｔｒｏｌ  ｐｌａｎｅ）に対する無線プロトコル構造を示すブロック図である。これは端末とＥ−ＵＴＲＡＮとの間の無線インターフェースプロトコルの構造を示す。使用者平面は、使用者データ伝送のためのプロトコルスタック（ｐｒｏｔｏｃｏｌ  ｓｔａｃｋ）であり、制御平面は、制御信号伝送のためのプロトコルスタックである。
【００２４】
図４及び図５を参照すると、第１の階層である物理階層（ＰＨＹ（ｐｈｙｓｉｃａｌ）ｌａｙｅｒ）は、物理チャネル（ｐｈｙｓｉｃａｌ  ｃｈａｎｎｅｌ）を用いて上位階層に情報伝送サービス（ｉｎｆｏｒｍａｔｉｏｎ  ｔｒａｎｓｆｅｒ  ｓｅｒｖｉｃｅ）を提供する。物理階層は、上位にある媒体接続制御（Ｍｅｄｉｕｍ  Ａｃｃｅｓｓ  Ｃｏｎｔｒｏｌ；ＭＡＣ）階層及び伝送チャネル（ｔｒａｎｓｐｏｒｔ  ｃｈａｎｎｅｌ）を介して連結しており、この伝送チャネルを介してＭＡＣ階層と物理階層との間のデータが移動する。そして、相異なる物理階層間、即ち、送信側及び受信側の物理階層間は、物理チャネルを介してデータが移動する。
【００２５】
第２の階層のＭＡＣ階層は、論理チャネル（ｌｏｇｉｃａｌ  ｃｈａｎｎｅｌ）を介して上位階層である無線リンク制御（Ｒａｄｉｏ  Ｌｉｎｋ  Ｃｏｎｔｒｏｌ；ＲＬＣ）階層にサービスを提供する。第２の階層のＲＬＣ階層は、信頼性あるデータの伝送を支援する。ＲＬＣ階層にはデータの伝送方法に応じて透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）、及び確認モード（Ａｃｋｎｏｗｌｅｄｇｅｄ  Ｍｏｄｅ、ＡＭ）の３種類の動作モードが存在する。ＡＭ  ＲＬＣは、両方向データ伝送サービスを提供して、ＲＬＣ  ＰＤＵ（Ｐｒｏｔｏｃｏｌ  Ｄａｔａ  Ｕｎｉｔ）の伝送失敗の際、再伝送を支援する。
【００２６】
第２の階層のＰＤＣＰ（Ｐａｃｋｅｔ  Ｄａｔａ  Ｃｏｎｖｅｒｇｅｎｃｅ  Ｐｒｏｔｏｃｏｌ）階層は、ＩＰパケットヘッダサイズを減らすヘッダ圧縮（ｈｅａｄｅｒ  ｃｏｍｐｒｅｓｓｉｏｎ）機能を遂行する。
【００２７】
第３の階層の無線リソース制御（Ｒａｄｉｏ  Ｒｅｓｏｕｒｃｅ  Ｃｏｎｔｒｏｌ；以下、ＲＲＣ）階層は、制御平面でだけ定義される。ＲＲＣ階層は、無線ベアラ（Ｒａｄｉｏ  Ｂｅａｒｅｒ；以下、ＲＢ）の設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連し、論理チャネル、伝送チャネル、及び物理チャネルの制御を担当する。ＲＢは、端末とＥ−ＵＴＲＡＮとの間のデータ伝達のために第２の階層によって提供されるサービスを意味する。端末のＲＲＣとネットワークのＲＲＣとの間にＲＲＣ連結（ＲＲＣ  Ｃｏｎｎｅｃｔｉｏｎ）のある場合、端末は、ＲＲＣ連結モード（ＲＲＣ  Ｃｏｎｎｅｃｔｅｄ  Ｍｏｄｅ）にあるようになり、そうでない場合、ＲＲＣアイドルモード（ＲＲＣ  Ｉｄｌｅ  Ｍｏｄｅ）にあるようになる。
【００２８】
ＲＲＣ階層上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）及び移動性管理（Ｍｏｂｉｌｉｔｙ  Ｍａｎａｇｅｍｅｎｔ）などの機能を遂行する。
【００２９】
図６は、ダウンリンク論理チャネルとダウンリンク伝送チャネルとの間のマッピング（ｍａｐｐｉｎｇ）を示す。これは３ＧＰＰ  ＴＳ  ３６．３００  Ｖ８．３．０（２００７−１２）Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｏａｌ  Ｒａｄｉｏ  Ａｃｃｅｓｓ  Ｎｅｔｗｏｒｋ（Ｅ−ＵＴＲＡＮ）；Ｏｖｅｒａｌｌ  Ｄｅｓｃｒｉｐｔｉｏｎ；Ｓｔａｇｅ２（Ｒｅｌｅａｓｅ８）の６．１．３．２節を参照することができる。
【００３０】
図６を参照すると、ＰＣＣＨ（Ｐａｇｉｎｇ  Ｃｏｎｔｒｏｌ  Ｃｈａｎｎｅｌ）は、ＰＣＨ（Ｐａｇｉｎｇ  Ｃｈａｎｎｅｌ）にマッピングされ、ＢＣＣＨ（Ｂｒｏａｄｃａｓｔ  Ｃｏｎｔｒｏｌ  Ｃｈａｎｎｅｌ）は、ＢＣＨ（Ｂｒｏａｄｃａｓｔ  Ｃｈａｎｎｅｌ）またはＤＬ−ＳＣＨ（Ｄｏｗｎｌｉｎｋ  Ｓｈａｒｅｄ  Ｃｈａｎｎｅｌ）にマッピングされる。ＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）は、ＤＬ−ＳＣＨにマッピングされる。ＭＣＣＨ及びＭＴＣＨは、ＭＣＨ（Ｍｕｌｔｉｃａｓｔ  Ｃｈａｎｎｅｌ）にもマッピングされる。
【００３１】
各論理チャネルタイプは、ある種類の情報が伝送されるかに応じて定義される。論理チャネルは、制御チャネル及びトラフィックチャネルの２種類がある。
【００３２】
制御チャネルは、制御平面情報の伝送に使われる。ＢＣＣＨは、システム制御情報をブロードキャスティングするためのダウンリンクチャネルである。ＰＣＣＨは、ページング情報を伝送するダウンリンクチャネルであり、ネットワークが端末の位置を知らない時使用する。ＣＣＣＨは、端末とネットワークとの間の制御情報を伝送するチャネルであり、端末とネットワークとの間にＲＲＣ連結がされていない時使用する。ＭＣＣＨは、ＭＢＭＳ（ｍｕｌｔｉｍｅｄｉａ  ｂｒｏａｄｃａｓｔ  ｍｕｌｔｉｃａｓｔ  ｓｅｒｖｉｃｅ）制御情報の伝送に使われる一対多（ｐｏｉｎｔ−ｔｏ−ｍｕｌｔｉｐｏｉｎｔ）ダウンリンクチャネルであり、ＭＢＭＳを受信する端末に使われる。ＤＣＣＨは、端末とネットワークとの間の専用制御情報を伝送する一対一単方向チャネルであり、ＲＲＣ連結を有する端末によって使われる。
【００３３】
トラフィックチャネルは、使用者平面情報の伝送に使われる。ＤＴＣＨは、使用者情報の伝送のための一対一チャネルであり、アップリンクとダウンリンクの両方に存在する。ＭＴＣＨは、トラフィックデータの伝送のための一対多ダウンリンクチャネルであり、ＭＢＭＳを受信する端末によって使われる。
【００３４】
伝送チャネルは、無線インターフェースを介するデータの伝送の類型及び特徴に応じて分類される。ＢＣＨは、セルの全領域でブロードキャストされて固定されて予め定義された伝送フォーマットを有する。ＤＬ−ＳＣＨは、ＨＡＲＱ（ｈｙｂｒｉｄ  ａｕｔｏｍａｔｉｃ  ｒｅｐｅａｔ  ｒｅｑｕｅｓｔ）の支援、変調、コーディング、及び伝送パワーの変化による動的リンク適応の支援、ブロードキャストの可能性、ビームフォーミングの可能性、動的／半静的（ｓｅｍｉ−ｓｔａｔｉｃ）リソース割当支援、端末パワー節約のためのＤＲＸ（ｄｉｓｃｏｎｔｉｎｕｏｕｓ  ｒｅｃｅｐｔｉｏｎ）支援、及びＭＢＭＳ伝送支援によって特徴される。ＰＣＨは、端末パワー節約のためのＤＲＸ支援、セルの全領域へのブロードキャスト支援によって特徴される。ＭＣＨは、セルの全領域へのブロードキャスト及びＭＢＳＦＮ（ＭＢＭＳ  Ｓｉｎｇｌｅ  Ｆｒｅｑｕｅｎｃｙ  Ｎｅｔｗｏｒｋ）支援によって特徴される。
【００３５】
図７は、ダウンリンク伝送チャネルとダウンリンク物理チャネルとの間のマッピングを示す。これは３ＧＰＰ  ＴＳ  ３６．３００  Ｖ８．３．０（２００７−１２）の５．３．１節を参照するできる。
【００３６】
図７を参照すると、ＢＣＨは  ＰＢＣＨ（ｐｈｙｓｉｃａｌ  ｂｒｏａｄｃａｓｔ  ｃｈａｎｎｅｌ）にマッピングされ、ＭＣＨは、ＰＭＣＨ（ｐｈｙｓｉｃａｌｍｕｌｔｉｃａｓｔｃｈａｎｎｅｌ）にマッピングされ、ＰＣＨ及びＤＬ−ＳＣＨは、ＰＤＳＣＨ（Ｐｈｙｓｉｃａｌ  Ｄｏｗｎｌｉｎｋ  Ｓｈａｒｅｄ  Ｃｈａｎｎｅｌ）にマッピングされる。ＰＢＣＨは、ＢＣＨ伝送ブロックを運び、ＰＭＣＨは、ＭＣＨを運び、ＰＤＳＣＨは、ＤＬ−ＳＣＨ及びＰＣＨを運ぶ。
【００３７】
物理階層で使われる数個のダウンリンク物理制御チャネルがある。ＰＤＣＣＨ（Ｐｈｙｓｉｃａｌ  Ｄｏｗｎｌｉｎｋ  Ｃｏｎｔｒｏｌ  Ｃｈａｎｎｅｌ）は、端末にＰＣＨとＤＬ−ＳＣＨとのリソース割当、及びＤＬ−ＳＣＨと関連したＨＡＲＱ情報に対して知らせる。ＰＤＣＣＨは、端末にアップリンク伝送のリソース割当を知らせるアップリンクスケジューリンググラントを運ぶことができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、端末に、サブフレーム内でＰＤＣＣＨの伝送に使われるＯＦＤＭシンボルの数を知らせる。ＰＣＦＩＣＨは、サブフレームごとに伝送される。ＰＨＩＣＨ（ｐｈｙｓｉｃａｌ  Ｈｙｂｒｉｄ  ＡＲＱ  Ｉｎｄｉｃａｔｏｒ  Ｃｈａｎｎｅｌ）は、アップリンク伝送の応答としてＨＡＲＱ  ＡＣＫ／ＮＡＣＫ信号を運ぶ。
【００３８】
図８は、無線フレームの構造を示す。
【００３９】
図８を参照すると、無線フレーム（ｒａｄｉｏ  ｆｒａｍｅ）は、１０個のサブフレーム（ｓｕｂｆｒａｍｅ）で構成されて、一つのサブフレームは、２個のスロット（ｓｌｏｔ）で構成される。一つのサブフレームの伝送にかかる時間をＴＴＩ（ｔｒａｎｓｍｉｓｓｉｏｎ  ｔｉｍｅ  ｉｎｔｅｒｖａｌ）という。例えば、一つのサブフレームの長さは１ｍｓであり、一つのスロットの長さは０．５ｍｓである。
【００４０】
無線フレームの構造は、例示に過ぎず、無線フレームに含まれるサブフレームの数またはサブフレームに含まれるスロットの数、スロットに含まれるＯＦＤＭシンボルの数は多様に変更されることができる。
【００４１】
図９は、一つのダウンリンクスロットに対するリソースグリッド（ｒｅｓｏｕｒｃｅ  ｇｒｉｄ）を示す例示図である。
【００４２】
図９を参照すると、ダウンリンクスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。ここで、一つのダウンリンクスロットは、７ＯＦＤＭシンボルを含み、一つのリソースブロック（ｒｅｓｏｕｒｃｅ  ｂｌｏｃｋ）は、周波数領域で１２副搬送波を含むことを例示的に記述するが、これに制限されることではない。
【００４３】
リソースグリッド上の各要素（ｅｌｅｍｅｎｔ）は、リソース要素（Ｒｅｓｏｕｒｃｅ  Ｅｌｅｍｅｎｔ、ＲＥ）といわれ、一つのリソースブロックは、１２×７リソース要素を含む。ダウンリンクスロットに含まれるリソースブロックの数ＮＤＬは、セルで設定されるダウンリンク伝送帯域幅（ｂａｎｄｗｉｄｔｈ）に従属する。
【００４４】
図１０は、サブフレームの構造を示す。
【００４５】
図１０を参照すると、サブフレームは、２個の連続的な（ｃｏｎｓｅｃｕｔｉｖｅ）スロットを含む。サブフレーム内の最初のスロットの前部の最大３ＯＦＤＭシンボルがＰＤＣＣＨが割り当てられる制御領域（ｃｏｎｔｒｏｌ  ｒｅｇｉｏｎ）であり、残りのＯＦＤＭシンボルはＰＤＳＣＨが割り当てられるデータ領域（ｄａｔａｒｅｇｉｏｎ）がなる。制御領域にはＰＤＣＣＨの以外にもＰＣＦＩＣＨ、ＰＨＩＣＨなどの制御チャネルが割り当てられることができる。端末は、ＰＤＣＣＨを介して伝送される制御情報をデコーディングしてＰＤＳＣＨを介して伝送されるデータ情報を読み取ることができる。ここで、制御領域が３ＯＦＤＭシンボルを含むことは例示にすぎない。サブフレーム内の制御領域が含むＯＦＤＭシンボルの数は、ＰＣＦＩＣＨを介して分かる。
【００４６】
制御領域は、複数のＣＣＥ（ｃｏｎｔｒｏｌ  ｃｈａｎｎｅｌ  ｅｌｅｍｅｎｔｓ）である論理的なＣＣＥ列で構成される。以下、ＣＣＥ列は一つのサブフレーム内で制御領域を構成する全体ＣＣＥの集合である。ＣＣＥは、複数のリソース要素グループ（ｒｅｓｏｕｒｃｅ  ｅｌｅｍｅｎｔ  ｇｒｏｕｐ）に対応される。例えば、ＣＣＥは、９リソース要素グループに対応されることができる。リソース要素グループは、リソース要素上に制御チャネルをマッピングすることを定義するために使われる。例えば、一つのリソース要素グループは、４個のリソース要素で構成されることができる。
【００４７】
複数のＰＤＣＣＨは制御領域内で伝送されてもよい。ＰＤＣＣＨは、スケジューリング割当などのような制御情報（ｃｏｎｔｒｏｌ  ｉｎｆｏｒｍａｔｉｏｎ）を運ぶ。ＰＤＣＣＨは、一つまたは数個の連続的なＣＣＥ（ｃｏｎｔｒｏｌ  ｃｈａｎｎｅｌ  ｅｌｅｍｅｎｔｓ）の集団（ａｇｇｒｅｇａｔｉｏｎ）上に伝送される。ＣＣＥ集団を構成するＣＣＥの数（Ｎｕｍｂｅｒ  ｏｆ  ＣＣＥｓ）に応じてＰＤＣＣＨのフォーマット及び可能なＰＤＣＣＨのビットの数が決定される。以下、ＰＤＣＣＨ伝送のために使われるＣＣＥの数をＣＣＥ集団レベル（ａｇｇｒｅｇａｔｉｏｎ  ｌｅｖｅｌ）という。また、ＣＣＥ集団レベルは、ＰＤＣＣＨを検索するためのＣＣＥ単位である。ＣＣＥ集団レベルの大きさは隣接するＣＣＥの数によって定義される。例えば、ＣＣＥ集団レベルは｛１，２，４，８｝の元素であってもよい。
【００４８】
次の表は、ＣＣＥ集団レベルにともなうＰＤＣＣＨのフォーマット、可能なＰＤＣＣＨのビット数の例を示す。
【００４９】
【表１】
2010539847.tif 000003
【００５０】
ＰＤＣＣＨを介して伝送される制御情報をダウンリンク制御情報（ｄｏｗｎｌｉｎｋ  ｃｏｎｔｒｏｌ  ｉｎｆｏｒｍａｔｉｏｎ、以下、ＤＣＩ）という。ＤＣＩは、アップリンクスケジューリング情報、ダウンリンクスケジューリング情報、システム情報（ｓｙｓｔｅｍ  ｉｎｆｏｒｍａｔｉｏｎ）、アップリンクパワー制御命令（ｐｏｗｅｒ  ｃｏｎｔｒｏｌ  ｃｏｍｍａｎｄ）、ページングのための制御情報、ランダムアクセス応答（ＲＡＣＨ  ｒｅｓｐｏｎｓｅ）を指示するための制御情報などを伝送する。また、ＤＣＩは、半持続的スケジューリング（Ｓｅｍｉ−Ｐｅｒｓｉｓｔｅｎｔ  Ｓｃｈｅｄｕｌｉｎｇ、ＳＰＳ）活性化（ａｃｔｉｖａｔｉｏｎ）を指示するための制御情報を伝送することができる。ＤＣＩは、半持続的スケジューリング非活性化を指示するための制御情報を伝送することもできる。半持続的スケジューリングは、アップリンクまたはダウンリンクのＶｏＩＰ（Ｖｏｉｃｅｏｖｅｒ  Ｉｎｔｅｒｎｅｔ  Ｐｒｏｔｏｃｏｌ）伝送のために使われることもできる。
【００５１】
ＤＣＩフォーマットとしては、ＰＵＳＣＨ（Ｐｈｙｓｉｃａｌ  Ｕｐｌｉｎｋ  Ｓｈａｒｅｄ  Ｃｈａｎｎｅｌ）スケジューリングのためのフォーマット０、一つのＰＤＳＣＨ（Ｐｈｙｓｉｃａｌ  Ｄｏｗｎｌｉｎｋ  Ｓｈａｒｅｄ  Ｃｈａｎｎｅｌ）コードワードのスケジューリングのためのフォーマット１、一つのＰＤＳＣＨコードワードの簡単な（ｃｏｍｐａｃｔ）スケジューリングのためのフォーマット１Ａ、空間多重化モードで単一コードワードのランク−１伝送に対するスケジューリングのためのフォーマット１Ｂ、ＤＬ−ＳＣＨ（Ｄｏｗｎｌｉｎｋ  Ｓｈａｒｅｄ  Ｃｈａｎｎｅｌ）の非常に簡単なスケジューリングのためのフォーマット１Ｃ、多重使用者空間多重化モードでＰＤＳＣＨスケジューリングのためのフォーマット１Ｄ、閉ループ（Ｃｌｏｓｅｄ−ｌｏｏｐ）空間多重化モードでＰＤＳＣＨスケジューリングのためのフォーマット２、開ループ（Ｏｐｅｎ−ｌｏｏｐ）空間多重化モードでＰＤＳＣＨスケジューリングのためのフォーマット２Ａ、アップリンクチャネルのためのＴＰＣ（Ｔｒａｎｓｍｉｓｓｉｏｎ  Ｐｏｗｅｒ  Ｃｏｎｔｒｏｌ）命令の伝送のためのフォーマット３及び３Ａがある。
【００５２】
図１１は、ＰＤＣＣＨの構成を示すフローチャートである。
【００５３】
図１１を参照すると、基地局は、ＤＣＩフォーマットに応じて制御情報を生成する。基地局は、端末に送られる制御情報に応じて複数のＤＣＩフォーマット（ＤＣＩ  ｆｏｒｍａｔ  １，２，…，Ｎ）のうち一つのＤＣＩフォーマットを選択することができる。
【００５４】
段階Ｓ１１０において、各々のＤＣＩフォーマットに応じて生成された制御情報にエラー検出（ｅｒｒｏｒ  ｄｅｔｅｃｔｉｏｎ）のためＣＲＣ（Ｃｙｃｌｉｃ  Ｒｅｄｕｎｄａｎｃｙ  Ｃｈｅｃｋ）を付加する。ＣＲＣには、ＰＤＣＣＨの所有者（ｏｗｎｅｒ）や用途に応じて識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）がマスキングされる。特定端末のためのＰＤＣＣＨであれば、端末の固有識別子、例えば、Ｃ−ＲＮＴＩ（Ｃｅｌｌ−ＲＮＴＩ）がＣＲＣにマスキングされることができる。即ち、ＣＲＣは、端末の固有識別子と共にスクランブルされることができる。特定端末のためのＲＮＴＩとしては、臨時（ｔｅｍｐｏｒａｒｙ）Ｃ−ＲＮＴＩ、半持続的（ｓｅｍｉ−ｐｅｒｓｉｓｔｅｎｔ）Ｃ−ＲＮＴＩなどもある。臨時Ｃ−ＲＮＴＩは、端末の臨時識別子であり、ランダムアクセス過程中に使われることができる。半持続的Ｃ−ＲＮＴＩは、半持続的スケジューリング活性化を指示するために使われることができる。
【００５５】
または、ＰＣＨを介して伝送されるページングメッセージのためのＰＤＣＣＨであれば、ページング識別子、例えば、Ｐ−ＲＮＴＩ（Ｐａｇｉｎｇ−ＲＮＴＩ）がＣＲＣにマスキングされることができる。ＤＬ−ＳＣＨを介して伝送されるシステム情報（ｓｙｓｔｅｍ  ｉｎｆｏｒｍａｔｉｏｎ）のためのＰＤＣＣＨであれば、システム情報識別子、例えば、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの伝送に対する応答であるランダムアクセス応答を指示するためのＰＤＣＣＨであれば、ＲＡ−ＲＮＴＩ（Ｒａｎｄｏｍ  Ａｃｃｅｓｓ−ＲＮＴＩ）がＣＲＣにマスキングされることができる。次の表は、ＰＤＣＣＨにマスキングされる識別子の例を示す。
【００５６】
【表２】
2010539847.tif 000004
【００５７】
Ｃ−ＲＮＴＩ、臨時Ｃ−ＲＮＴＩまたは半持続的Ｃ−ＲＮＴＩが使われるとき、ＰＤＣＣＨは該当する特定端末のための制御情報を運び、他のＲＮＴＩが使われるとき、ＰＤＣＣＨは、セル内の全ての端末が受信する共用制御情報を運ぶ。
【００５８】
段階Ｓ１２０において、ＣＲＣが付加された制御情報にチャネルコーディングを遂行して符号化されたデータ（ｃｏｄｅｄ  ｄａｔａ）を生成する。段階Ｓ１３０において、ＰＤＣＣＨフォーマットに割り当てられたＣＣＥ集団レベルにともなう伝送率マッチング（ｒａｔｅ  ｍａｔｃｈｉｎｇ）を遂行する。
【００５９】
段階Ｓ１４０において、符号化されたデータを変調して変調シンボルを生成する。一つのＰＤＣＣＨを構成する変調シンボルは、ＣＣＥ集団レベルが１，２，４，８のうち一つであってもよい。段階Ｓ１５０において、変調シンボルを物理的なリソース要素（ＲＥ）にマッピング（ＣＣＥ  ｔｏ  ＲＥ  ｍａｐｐｉｎｇ）する。
【００６０】
図１２は、ＰＤＣＣＨ処理を示すフローチャートである。
【００６１】
図１２を参照すると、段階Ｓ２１０において、端末は、物理的なリソース要素をＣＣＥにジマッピング（ＣＣＥ  ｔｏ  ＲＥ  ｄｅｍａｐｐｉｎｇ）する。段階Ｓ２２０において、端末は、自分がどのＣＣＥ集団レベルにＰＤＣＣＨを受信しなければならないか知らないため、各々のＣＣＥ集団レベルに対して復調（Ｄｅｍｏｄｕｌａｔｉｏｎ）する。段階Ｓ２３０において、端末は、復調されたデータに伝送率ジマッチング（ｒａｔｅ  ｄｅｍａｔｃｈｉｎｇ）を遂行する。端末は、自分があるＤＣＩフォーマットを有する制御情報を受信しなければならないか知らないため、各々のＤＣＩフォーマットに対して伝送率ジマッチングを遂行する。段階Ｓ２４０において、伝送率ジマッチングされたデータにコードレートに応じてチャネルデコーディングを遂行して、ＣＲＣをチェックしてエラー発生如何を検出する。エラーが発生しなければ、端末は、自分のＰＤＣＣＨを検出したことである。もし、エラーが発生すれば、端末は、他のＣＣＥ集団レベルや、他のＤＣＩフォーマットに対してブラインドデコーディングを遂行し続ける。段階Ｓ２５０において、自分のＰＤＣＣＨを検出した端末は、デコーディングされたデータにＣＲＣを除去して、端末に必要な制御情報を獲得する。
【００６２】
複数の端末に対する多重化された複数のＰＤＣＣＨが一つのサブフレームの制御領域内で伝送されることができる。端末は、ＰＤＣＣＨをモニタリング（ｍｏｎｉｔｏｒｉｎｇ）する。ここで、モニタリングとは、端末がモニタリングされるＤＣＩフォーマットに応じてＰＤＣＣＨの各々のデコーディングを試みることをいう。サブフレーム内で割り当てられた制御領域において、基地局は、端末に該当するＰＤＣＣＨがどこにあるかに関する情報を提供しない。端末は、サブフレーム内でＰＤＣＣＨ候補（ｃａｎｄｉｄａｔｅ）の集合をモニタリングして自分のＰＤＣＣＨを探す。これをブラインドデコーディング（ｂｌｉｎｄ  ｄｅｃｏｄｉｎｇ）（またはブラインド検出（ｂｌｉｎｄ  ｄｅｔｅｃｔｉｏｎ））という。ブラインドデコーディングを介して、端末は、自分に伝送されたＰＤＣＣＨの識別（ｉｄｅｎｔｉｆｉｃａｔｉｏｎ）と該当ＰＤＣＣＨを介して伝送される制御情報のデコーディングとを同時に遂行する。例えば、該当するＰＤＣＣＨから自分のＣ−ＲＮＴＩをデマスキングしてＣＲＣエラーが検出されないと、端末は、自分のＰＤＣＣＨを検出することである。
【００６３】
ブラインドデコーディングのオーバーヘッド（ｏｖｅｒｈｅａｄ）を效果的に減少させるためにＰＤＣＣＨを介して伝送されるＤＣＩフォーマットの個数を限定されるように定義するようになる。ＰＤＣＣＨを用いて伝送される異質的な制御情報の種類よりＤＣＩフォーマットの個数がさらに小さくなる。ＤＣＩフォーマットは、複数の相異なる情報フィールドを含む。ＤＣＩフォーマットに応じて前記ＤＣＩフォーマットを構成する情報フィールドの種類、情報フィールドの個数、各情報フィールドのビットの数などが変えられる。また、ＤＣＩフォーマットに応じて前記ＤＣＩフォーマットに合う制御情報のサイズが変えられるようになる。多様な制御情報は、各々、限定された個数のＤＣＩフォーマットのうち一つのＤＣＩフォーマットを使用してＰＤＣＣＨ伝送が行われるようになる。即ち、任意のＤＣＩフォーマットは、二つ以上の異なる種類の制御情報伝送に使われることができる。これに伴い、制御情報は、ＤＣＩフォーマットの情報フィールドの値が特定の値として具体化される時、複数の情報フィールドのうち一部情報フィールドは必要ない場合がある。即ち、ＤＣＩフォーマットを構成する複数の情報フィールドのうち一部情報フィールドに具体的な値が定義されないことである。ＤＣＩフォーマットを構成する一部情報フィールドは、予備フィールド（ｒｅｓｅｒｖｅｄ  ｆｉｅｌｄ）になって任意値（ａｒｂｉｔｒａｒｙ  ｖａｌｕｅ）を有する状態で保留される（ｒｅｓｅｒｖｅｄ）。複数種類の異質的制御情報を一つのＤＣＩフォーマットにサイズ適応（ｓｉｚｅ  ａｄａｐｔａｔｉｏｎ）させるためである。然しながら、このように、制御情報伝送に予備フィールドが存在する場合、何らの機能に用いることができない該当予備フィールド伝送のために、基地局は、伝送エネルギー、伝送パワーを非効率的に消耗するようになる。従って、ＤＣＩフォーマットに合せて制御情報を生成する時、ＤＣＩフォーマットを構成する複数の情報フィールドのうち使われない情報フィールドを活用することができる方法が必要である。
【００６４】
図１３は、ＤＣＩフォーマットを構成する複数の情報フィールドのうち使われない情報フィールドを活用することができる方法の例を示す。
【００６５】
図１３を参照すると、相異なる種類の制御情報である制御情報Ａ、Ｂ、Ｃは、グループ化（ｇｒｏｕｐｉｎｇ）されて一つのＤＣＩフォーマットを使用する。相異なる種類の制御情報Ａ、Ｂ、Ｃ（Ｃｏｎｔｒｏｌ  ｉｎｆｏｒｍａｔｉｏｎ  Ａ、Ｂ、Ｃ）は、一つのＤＣＩフォーマットに合う。ＤＣＩフォーマットは、複数の相異なる情報フィールドで構成される。制御情報Ａ（Ｃｏｎｔｒｏｌ  ｉｎｆｏｒｍａｔｉｏｎ  Ａ）は、該当ＤＣＩフォーマットの全ての情報フィールドに特定値が付与されて具体化される。制御情報ＢまたはＣ（Ｃｏｎｔｒｏｌ  ｉｎｆｏｒｍａｔｉｏｎ  Ｂ  ｏｒ  Ｃ）は、該当ＤＣＩフォーマットの一部情報フィールドに特定値が付与されて具体化される。グループ内で制御情報Ａの情報ビットサイズが最も大きい。制御情報Ａは、該当ＤＣＩフォーマットの全ての情報フィールドを意味のあるように構成する場合であるためである。制御情報Ａの情報ビットサイズが基準情報ビットサイズとなる。制御情報ＢまたはＣは、基準情報ビットサイズと同じサイズを有するために各々ナル情報（ｎｕｌｌ  ｉｎｆｏｒｍａｔｉｏｎ）を追加する。これによって、グループ内の制御情報は、全て同じ情報ビットサイズで固定されｓる。
【００６６】
このように、複数種類の異質的な制御情報は、グループ化されて任意に指定された一つのＤＣＩフォーマットに合う。個別制御情報は、該当ＤＣＩフォーマットを構成する情報フィールドに特定の値をマッピングすることによって具体化される。グループ内の任意の制御情報は、該当ＤＣＩフォーマットの全ての情報フィールドに特定値を付与して具体化されることができる。一方、グループ内の他の制御情報は、該当ＤＣＩフォーマットの一部情報フィールドに特定値を付与して具体化されることができる。即ち、該当ＤＣＩフォーマットの他の情報フィールドは、制御情報の具体化の際、必要でない。このとき、制御情報の具体化において用いられる情報フィールドの全体サイズを情報ビットサイズとして定義することができる。前者の制御情報の情報ビットサイズが最も大きく、後者の制御情報の情報ビットサイズは相対的に小さい。
【００６７】
制御情報がＤＣＩフォーマットの全ての情報フィールドに特定値を付与して具体化される場合の情報ビットサイズを基準情報ビットサイズとする。基準情報ビットサイズは、ＤＣＩフォーマットを構成する情報フィールドの全体サイズ及び／またはＤＣＩフォーマット自体のサイズを意味する。グループ内の他の制御情報が基準情報ビットサイズより小さい情報ビットサイズを有する場合、基準情報ビットサイズと同じになるようにナル情報を追加する。これはＤＣＩフォーマットで指定される全ての情報フィールドのうち一部情報フィールドに対して値を指定することによって特定制御情報を具体化する場合、値が指定されない残りの情報フィールドをナル情報として使用することである。ナル情報として使われる情報フィールドをエラー確認フィールドと呼ぶこともできる。
【００６８】
ナル情報は、ＤＣＩフォーマットに合う制御情報が基準情報ビットサイズと同じになるように追加される情報である。ＤＣＩフォーマットに応じて制御情報を生成する時、使用しない一部情報フィールドをナル情報として使用することができる。ナル情報は、特定値を有する。例えば、ナル情報として使われる情報フィールドを全部‘０’ビットまたは全部‘１’ビットの値に指定することができる。または、ナル情報として使われるフィールドを基地局と端末が予め知っている二進符号列の値に指定することができる。このような二進符号列を二進スクランブル符号列として名称化することができる。このような符号列生成の例として、基地局と端末の両方が知っている二進ビット列、基地局と端末が同じ入力パラメータを介して生成するｍ−シーケンスまたはゴールド（ｇｏｌｄ）シーケンス生成方式に従って導出されることができる。
【００６９】
ナル情報として使われる情報フィールドは、基地局と端末との間に予め設定されたり、基地局が端末にナル情報として使われる情報フィールドに対する情報を知らせることもできる。例えば、基地局は、端末にＲＲＣシグナリングやシステム情報を介してナル情報として使われる情報フィールドに対する情報を知らせることができる。
【００７０】
端末は、ＣＲＣエラー検出を介するＰＤＣＣＨをモニタリングの際、他の端末のＰＤＣＣＨを自分のものであると認識したり、実際ＲＮＴＩとは異なる  ＲＮＴＩでデマスキングの際、ＣＲＣエラーが検出されなく、正しくデコーディングされたと認識するエラーが発生する場合がある。これをフォールスポジティブエラー（ｆａｌｓｅ  ｐｏｓｉｔｉｖｅ  ｅｒｒｏｒ）という。フォールスポジティブエラーの発生確率を低くするために、ナル情報を仮想（ｖｉｒｔｕａｌ）ＣＲＣまたは付加的なエラーチェックのためのプローブ（ｐｒｏｂｅ）として活用することができる。
【００７１】
図１４は、本発明の実施例に係る制御情報検出方法を示す。
【００７２】
図１４を参照すると、端末は、制御チャネルをモニタリングして、ＣＲＣエラーを確認する（Ｓ３１０）。制御チャネルは、ＰＤＣＣＨであってもよい。ＣＲＣエラーが検出されれば、端末は、制御チャネルのモニタリングを遂行し続ける（Ｓ３２０）。ＣＲＣエラーが検出されないと、端末は、ＣＲＣエラーが検出されない制御チャネル上の制御情報に含まれたフィールドのうちエラー確認フィールドの値が特定値と一致するか否かを確認する（Ｓ３３０）。エラー確認フィールドは、制御情報を構成する複数の情報フィールドのうちナル情報として使われる情報フィールドである。
【００７３】
エラー確認フィールドの値が特定値と一致しないと、端末は、制御チャネルのモニタリングを遂行し続ける（Ｓ３４０）。エラー確認フィールドの値が特定値と一致すれば、端末は、ＣＲＣエラーが検出されない制御チャネル上の制御情報を自分の制御情報として検出する（Ｓ３５０）。即ち、ナル情報は、端末の知っている指定された特定値にデコーディングされた場合にのみ該当ＰＤＣＣＨを介して伝送された制御情報を端末の制御情報として受信する。
【００７４】
以下、ナル情報を使用する制御情報伝送方法を具体例として記述する。他の用途のために定義されたＰＤＣＣＨのＤＣＩフォーマットを用いて半持続的スケジューリング（ＳＰＳ）活性化（ａｃｔｉｖａｔｉｏｎ）を指示する制御情報が伝送される場合を仮定する。即ち、半持続的スケジューリング活性化を指示する制御情報と他の種類の制御情報とが、一つのＤＣＩフォーマットを使用する場合である。半持続的スケジューリングは、アップリンクＶｏＩＰまたはダウンリンクＶｏＩＰ伝送のために使われることができる。
【００７５】
無線リソーススケジューリング（Ｒｅｓｏｕｒｃｅ  Ｓｃｈｅｄｕｌｉｎｇ）方式としては、動的スケジューリング（Ｄｙｎａｍｉｃ  Ｓｃｈｅｄｕｌｉｎｇ）方式、持続的スケジューリング（Ｐｅｒｓｉｓｔｅｎｔ  Ｓｃｈｅｄｕｌｉｎｇ）方式、半持続的スケジューリング（ＳＰＳ）方式などがある。動的スケジューリング方式は、データを送信または受信する時ごとに、制御信号を介するスケジューリング情報が要求される方式である。持続的スケジューリング方式は、予め設定された情報を用いて、データの送信または受信する時ごとに制御信号を介するスケジューリング情報が要求されない方式である。半持続的スケジューリング方式は、半持続的スケジューリング区間（ｓｅｍｉ−ｐｅｒｓｉｓｔｅｎｔ  ｓｃｈｅｄｕｌｉｎｇ  ｉｎｔｅｒｖａｌ）の間に、データの送信または受信する時ごとに制御信号を介するスケジューリング情報が要求されない方式である。半持続的スケジューリング区間は、半持続的スケジューリング活性化を指示する制御情報の受信によって開始されて、半持続的スケジューリング非活性化を指示する制御情報の受信によって満了されることができる。または、半持続的スケジューリング区間は、ＲＲＣシグナリングを介して設定されることもできる。
【００７６】
図１５は、動的スケジューリング方式を用いたダウンリンクデータ伝送を示す流れ図である。基地局（ｂａｓｅ  ｓｔａｔｉｏｎ、ＢＳ）は、ＰＤＳＣＨを介してダウンリンクデータを伝送する時ごとに、端末（ｕｓｅｒ  ｅｑｕｉｐｍｅｎｔ、ＵＥ）にＰＤＣＣＨを介してダウンリンクグラント（ＤＬ  ｇｒａｎｔ）を伝送する。端末は、ＰＤＣＣＨを介して受信したダウンリンクグラントを用いてＰＤＳＣＨを介して伝送されるダウンリンクデータを受信する。基地局は、ダウンリンクチャネル状態（ｃｈａｎｎｅｌ  ｃｏｎｄｉｔｉｏｎ）に応じて適切に無線リソースをスケジューリングできる利点がある。
【００７７】
図１６は、動的スケジューリング方式を用いたアップリンクデータ伝送を示す流れ図である。端末は、ＰＵＳＣＨを介するアップリンクデータを伝送する前、基地局からアップリンクグラント（ＵＬ  Ｇｒａｎｔ）を介して無線リソースの割当を受ける。アップリンクグラントは、ＰＤＣＣＨを介して伝送される。
【００７８】
ＶｏＩＰ（Ｖｏｉｃｅ  ｏｖｅｒ  ＩＰ）は、ＩＰ（Ｉｎｔｅｒｎｅｔ  Ｐｒｏｔｏｃｏｌ）を介して音声データを伝送するサービスであって、従来ＣＳ（Ｃｉｒｃｕｉｔ  Ｓｗｉｔｃｈｅｄ）領域（ｄｏｍａｉｎ）で提供した音声データをＰＳ（Ｐａｃｋｅｔ  Ｓｗｉｔｃｈｅｄ）領域で提供する方法である。ＣＳ基盤音声サービスにおいては、エンドツーエンド（ｅｎｄ−ｔｏ−ｅｎｄ）に連結を維持して音声データを伝送し、一方、ＶｏＩＰでは連結を維持しないまま（ｃｏｎｎｅｃｔｉｏｎ−ｌｅｓｓ）音声データを伝送するため、ネットワークリソースを相当效率的に使用することができる長所がある。
【００７９】
無線通信技術が発展することによって使用者データも相当早く増加しており、制限されたネットワークリソースの効率的利用のために、最近、既存のＣＳ基盤サービスがＰＳ基盤サービスに置き換えられている。また、ＶｏＩＰも、同一脈絡に開発されており、今後大部分の無線通信システムでは全ての音声サービスがＶｏＩＰを介して提供されること予想される。
【００８０】
ＰＳ基盤音声サービスを效果的に提供するためにＲＴＰ（Ｒｅａｌ−ｔｉｍｅ  Ｔｒａｎｓｐｏｒｔ  Ｐｒｏｔｏｃｏｌ）が開発され、また、ＲＴＰを制御するためのプロトコルであるＲＴＣＰ（ＲＴＰ  Ｃｏｎｔｒｏｌ  Ｐｒｏｔｏｃｏｌ）も開発された。ＲＴＰは、パケットごとに時間スタンプ（ｔｉｍｅ  ｓｔａｍｐ）情報を載せているためジッタ（ｊｉｔｔｅｒ）問題を解決することができて、ＲＴＣＰを介してＲＴＰパケットの損失（ｌｏｓｓ）を報告することによって、伝送率制御（ｒａｔｅ  ｃｏｎｔｒｏｌ）を介してＦＥＲ（Ｆｒａｍｅ  Ｅｒｒｏｒ  ｒａｔｅ）を減らすことができる。ＲＴＰ／ＲＴＣＰの以外にもＳＩＰ（Ｓｅｓｓｉｏｎ  Ｉｎｉｔｉａｔｉｏｎ  Ｐｒｏｔｏｃｏｌ）及びＳＤＰ（Ｓｅｓｓｉｏｎ  Ｄｅｓｃｒｉｐｔｉｏｎ  Ｐｒｏｔｏｃｏｌ）なども開発されてエンドツーエンドに仮想連結（ｖｉｒｔｕａｌ  ｃｏｎｎｅｃｔｉｏｎ）を維持するようにして遅延問題も相当部分解消することができる。
【００８１】
図１７は、ＶｏＩＰにおけるトラフィックモデルを示す例示図である。
【００８２】
図１７を参考すると、ＶｏＩＰにおいて発生する音声パケットの種類は、対話区間（Ｔａｌｋ  ｓｐｕｒｔ）で発生するパケットと沈黙区間（Ｓｉｌｅｎｃｅ  Ｐｅｒｉｏｄ）で発生するパケットとに分けられる。例えば、１２．２ｋｂｐｓ  ＡＭＲ（Ａｄａｐｔｉｖｅ  Ｍｕｌｔｉ−Ｒａｔｅ）を仮定すれば、対話区間ではＲＴＰパケットが２０ｍｓの周期に発生して、３５〜４９バイトの大きさを有する。そして、沈黙区間でＲＴＰパケットが１６０ｍｓ周期に発生して、１０〜２４バイトの大きさを有する。
【００８３】
ＶｏＩＰのような音声サービスでは一定の周期にパケットが生成されれば、生成されるパケットの大きさが比較的小さく一定である。従って、ＶｏＩＰは、一般的に持続的スケジューリング方式または半持続的スケジューリング方式を使用する。持続的スケジューリング方式の場合、無線ベアラ（Ｒａｄｉｏ  Ｂｅａｒｅｒ）設定過程でこれを予め予測して無線リソースを持続的に割り当てて、これに伴いスケジューリング情報を含む制御信号がなくてもパケットを送信または受信する。持続的スケジューリング方式によってデータを送信または受信する時、スケジューリング情報が提供されなく、予め設定された無線リソースを用いるため、データを送信または受信する時点におけるチャネル状態が考慮されなくてチャネル状態が変えられた場合に伝送エラー率が高まることがある。ＶｏＩＰは、対話区間が半持続的スケジューリング区間として使用されるとき、半持続的スケジューリング方式の使用に適する。
【００８４】
図１８は、半持続的スケジューリング方式を用いたダウンリンクデータ伝送を示す流れ図である。基地局は、端末にＰＤＣＣＨを介してリソース割当情報の半持続的スケジューリング活性化を指示する制御情報を伝送する。半持続的スケジューリング区間中、端末は、基地局からリソース割当情報を用いてＰＤＳＣＨを介してＶｏＩＰデータを受信することができる。
【００８５】
図１９は、半持続的スケジューリング方式を用いたアップリンクデータ伝送を示す流れ図である。基地局は、端末にＰＤＣＣＨを介してリソース割当情報の半持続的スケジューリング活性化を指示する制御情報を伝送する。半持続的スケジューリング区間中、端末は、基地局にリソース割当情報を用いてＰＵＳＣＨを介してＶｏＩＰデータを伝送することができる。
【００８６】
まず、半持続的スケジューリング活性化を指示する制御情報をＤＣＩフォーマット０を介して伝送する方法を説明する。ＤＣＩフォーマット０を介してＰＵＳＣＨのスケジューリングのための制御情報と半持続的スケジューリング活性化を指示する制御情報とを伝送することができる。半持続的スケジューリング活性化は、アップリンクＶｏＩＰ伝送のために使われることができる。
【００８７】
次の表は、ＤＣＩフォーマット０が伝送する制御情報の例を示す。
【００８８】
【表３】
2010539847.tif 000005
【００８９】
ＤＣＩフォーマット０は、複数の情報フィールドを含む。情報フィールドには、（１）フラッグ（Ｆｌａｇ）フィールド、（２）ホッピングフラッグ（Ｈｏｐｐｉｎｇ  ｆｌａｇ）フィールド、（３）リソースブロック割当及びホッピングリソース割当（Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）フィールド、（４）ＭＣＳ（Ｍｏｄｕｌａｔｉｏｎ  ａｎｄ  Ｃｏｄｉｎｇ  Ｓｃｈｅｍｅ）及びリダンダンシバージョン（Ｒｅｄｕｎｄａｎｃｙ  ｖｅｒｓｉｏｎ）フィールド、（５）新しいデータインジケータ（Ｎｅｗｄａｔａ  ｉｎｄｉｃａｔｏｒ）フィールド、（６）ＴＰＣ命令（ＴＰＣ  ｃｏｍｍａｎｄ）フィールド、（７）サイクリックシフト（Ｃｙｃｌｉｃ  ｓｈｉｆｔ）フィールド、（８）アップリンクインデックス（ＵＬ  ｉｎｄｅｘ）フィールド、（９）ＣＱＩ要請（ｒｅｑｕｅｓｔ）フィールドで構成される。各情報フィールドのビットの大きさは例示に過ぎず、フィールドのビットの大きさを制限することではない。
【００９０】
フラッグフィールドは、フォーマット０及びフォーマット１Ａの区別のための情報フィールドである。リソースブロック割当及びホッピングリソース割当フィールドは、ホッピングＰＵＳＣＨまたは非ホッピング（ｎｏｎ−ｈｏｐｐｐｉｎｇ）ＰＵＳＣＨに応じてフィールドのビットの大きさが変えられる。非ホッピングＰＵＳＣＨのためのリソースブロック割当及びホッピングリソース割当フィールドは、
【数１】
2010539847.tif 000006
ビットをアップリンクサブフレーム内の最初のスロットのリソース割当に提供する。ここで、
【数２】
2010539847.tif 000007
は、アップリンクスロットに含まれるリソースブロックの数であり、セルで設定されるアップリンク伝送帯域幅に従属する。ホッピングＰＵＳＣＨのためのリソースブロック割当及びホッピングリソース割当フィールドは、
【数３】
2010539847.tif 000008
ビットをアップリンクサブフレーム内の最初のスロットのリソース割当に提供する。
【００９１】
ＰＤＳＣＨに対するチャネル割当の制御情報は、前述の全てのフィールドを使用して表現される。これに伴い、ＰＤＳＣＨに対するチャネル割当のためのＤＣＩフォーマット１Ａは、基準情報サイズ（ｒｅｆｅｒｅｎｃｅ  ｉｎｆｏｒｍａｔｉｏｎ  ｓｉｚｅ）を有する制御情報になる。
【００９２】
フォーマット０の情報ビットの数がフォーマット１Ａの情報ビットの数より少ない場合、ペイロードの大きさがフォーマット１Ａのペイロードの大きさと同一になる時までフォーマット０に‘０’を付加する（ａｐｐｅｎｄ）。
【００９３】
ＰＵＳＣＨのスケジューリングのための制御情報は、前述の全てのフィールドを使用して表現される。これに伴い、ＰＵＳＣＨのスケジューリングのためのＤＣＩフォーマット０は、基準情報ビットサイズ（ｒｅｆｅｒｅｎｃｅ  ｉｎｆｏｒｍａｔｉｏｎ  ｂｉｔ  ｓｉｚｅ）を有する制御情報になる。
【００９４】
半持続的スケジューリング活性化のための制御情報をＤＣＩフォーマット０を介して伝送する場合、ＤＣＩフォーマット０の基準情報ビットサイズに合せるためのナル情報は、フォーマット１Ａとのペイロードの大きさを合うためにパッディングされる‘０’ビットと共に仮想（ｖｉｒｔｕａｌ）ＣＲＣチェックのために使われることができる。
【００９５】
以下、半持続的スケジューリング活性化のための制御情報をＤＣＩフォーマット０を介して伝送する場合、ナル情報として使用することができる情報フィールドの例を説明する。
【００９６】
（１）第１の実施例
ダウンリンクＶｏＩＰ伝送に対する非周期的（ａｐｅｒｉｏｄｉｃ）ＰＵＳＣＨフィードバック（ｆｅｅｄｂａｃｋ）なしに端末がＰＵＣＣＨ基盤フィードバックのみを遂行する状況を考慮する場合、ＣＱＩ要請フィールドをナル情報として使用することができる。
【００９７】
次の表は、ＰＵＳＣＨのスケジューリング及び半持続的スケジューリング活性化のためのＤＣＩフォーマット０が伝送する制御情報の第１の実施例を示す。
【００９８】
【表４】
2010539847.tif 000009
【００９９】
アップリンク半持続的スケジューリング活性化のための制御情報の場合、ＣＱＩ要請フィールドを‘０’の値に指定する。ＣＱＩ要請フィールドを除いたＤＣＩフォーマット０の残りのフィールドは、表３で説明した通りである。端末は、ダウンリンクＶｏＩＰ伝送に対する非周期的ＰＵＳＣＨフィードバックなしにＰＵＣＣＨ基盤フィードバックのみを遂行すると仮定する。
【０１００】
（２）第２の実施例
アップリンクＶｏＩＰパケット伝送のための半持続的スケジューリング活性化に対する制御情報は、別途の閉ループ（ｃｌｏｓｅｄ−ｌｏｏｐ）電力制御が必要なく、開ループ（ｏｐｅｎ−ｌｏｏｐ）系列またはハイブリッド系列の電力制御に基づいてＶｏＩＰ伝送の送信電力を決定すると仮定する。半静的（ｓｅｍｉ−ｓｔａｔｉｃ）リソースブロック割当状況まで勘案してスケジュールされたＰＵＳＣＨのためのＴＰＣ命令フィールドを使用しない時、ＴＰＣ命令フィールドをナル情報として使用することができる。
【０１０１】
次の表は、ＰＵＳＣＨのスケジューリング及び半持続的スケジューリング活性化のためのＤＣＩフォーマット０が伝送する制御情報の第２の実施例を示す。
【０１０２】
【表５】
2010539847.tif 000010
【０１０３】
アップリンク半持続的スケジューリング活性化のための制御情報の場合、ＴＰＣ命令フィールドの値を全部‘０’に指定する。ＴＰＣ命令フィールドを除いたＤＣＩフォーマット０の残りのフィールドは、表３で説明した通りである。
【０１０４】
（３）第３の実施例
アップリンクＶｏＩＰパケット伝送のための半持続的スケジューリング活性化に対する制御情報は、新しいデータインジケータフィールドを特定の情報伝達に潜在的（ｉｍｐｌｉｃｉｔ）に用いなくてもよい。この場合、新しいデータインジケータフィールドをナル情報として使用することができる。
【０１０５】
次の表は、ＰＵＳＣＨのスケジューリング及び半持続的スケジューリング活性化のためのＤＣＩフォーマット０が伝送する制御情報の第３の実施例を示す。
【０１０６】
【表６】
2010539847.tif 000011
【０１０７】
アップリンク半持続的スケジューリング活性化のための制御情報の場合、新しいデータインジケータフィールドの値を‘０’に指定する。新しいデータインジケータフィールドを除いたＤＣＩフォーマット０の残りのフィールドは、表３で説明した通りである。
【０１０８】
（４）第４の実施例
アップリンクＶｏＩＰパケット伝送のための半持続的スケジューリング活性化に対する制御情報は、ＭＣＳまたはリダンダンシバージョンをＭＣＳ及びリダンダンシバージョンフィールドで指示せずに別途のシグナリングを用いることができる。ＭＣＳをＭＣＳ及びリダンダンシバージョンフィールドで指示せずに別途のシグナリングを用いる場合、５ビットのうち３ビットをナル情報として使用することができる。リダンダンシバージョンをリダンダンシバージョンフィールドで指示せずに別途のシグナリングを用いる場合、５ビットのうち２ビットをナル情報として使用することができる。ＭＣＳ及びリダンダンシバージョンの両方とも別途のシグナリングを用いる場合、５ビットを全部ナル情報として使用することができる。
【０１０９】
次の表は、ＰＵＳＣＨのスケジューリング及び半持続的スケジューリング活性化のためのＤＣＩフォーマット０が伝送する制御情報の第４の実施例を示す。
【０１１０】
【表７】
2010539847.tif 000012
【０１１１】
アップリンク半持続的スケジューリング活性化のための制御情報の場合、ＭＣＳ及びリダンダンシバージョンフィールドの５ビットのうち２、３または５ビットを‘０’に指定する。ＭＣＳ及びリダンダンシバージョンフィールドを除いたＤＣＩフォーマット０の残りのフィールドは、表３で説明した通りである。
【０１１２】
（５）第５の実施例
アップリンクＶｏＩＰパケット伝送のための半持続的スケジューリング活性化に対する制御情報は、ＤＭＲＳのためのサイクリックシフトフィールドを別途に指示しなくてもよい。この場合、サイクリックシフトフィールドをナル情報として使用する。
【０１１３】
次の表は、ＰＵＳＣＨのスケジューリング及び半持続的スケジューリング活性化のためのＤＣＩフォーマット０が伝送する制御情報の第５の実施例を示す。
【０１１４】
【表８】
2010539847.tif 000013
【０１１５】
アップリンク半持続的スケジューリング活性化のための制御情報の場合、サイクリックシフトフィールドの値を全部‘０’に指定する。ＴＰＣ命令フィールドを除いたＤＣＩフォーマット０の残りのフィールドは、表３で説明した通りである。
【０１１６】
（６）第６の実施例
アップリンクＶｏＩＰパケット伝送のための半持続的スケジューリング活性化に対する制御情報は、ＶｏＩＰが全体システム帯域幅（ｂａｎｄｗｉｄｔｈ）上で割り当てられることができる帯域幅を限定してもよい。この場合、リソースブロック割当及びホッピングリソース割当フィールドをナル情報として使用することができる。
【数４】
2010539847.tif 000014
ビットのうちＭビットをナル情報として使用することができる。ここで、Ｍは、１〜
【数５】
2010539847.tif 000015
の自然数である。
【０１１７】
次の表は、ＰＵＳＣＨのスケジューリング及び半持続的スケジューリング活性化のためのＤＣＩフォーマット０が伝送する制御情報の第５の実施例を示す。
【０１１８】
【表９】
2010539847.tif 000016
【０１１９】
アップリンク半持続的スケジューリング活性化のための制御情報の場合、リソースブロック割当及びホッピングリソース割当フィールドの
【数６】
2010539847.tif 000017
ビットのうちＭビットを‘０’に指定する。ここで、Ｍは、１〜
【数７】
2010539847.tif 000018
の自然数である。リソースブロック割当及びホッピングリソース割当フィールドを除いたＤＣＩフォーマット０の残りのフィールドは、表３で説明した通りである。
【０１２０】
（７）第７の実施例
ＤＣＩフォーマット０上の情報フィールドのうち複数の情報フィールドの組合せをナル情報として使用する。任意の情報フィールドを組合せてナル情報として使用することができる。全体情報フィールドをナル情報として使用することもできる。第１ないし第６の実施例でナル情報として使われる各々の情報フィールドが複数の情報フィールドの組合せに使われることができる。例えば、第４の実施例で説明したように、ＭＣＳまたはリダンダンシバージョンを別途のシグナリングを用いる場合、ＭＣＳ及びリダンダンシバージョンフィールドの５ビットのうち２、３または５ビットを複数の情報フィールドの組合せに適用することができる。ＦＤＤシステムの場合、第１ないし第６の実施例でナル情報として使われる各々の情報フィールドに付加してアップリンクインデックスフィールドのビットをナル情報として使用することができる。
【０１２１】
（８）第８の実施例
第８の実施例は、第７の実施例の具体的な実施例である。ＤＣＩフォーマット０を介して半持続的スケジューリング活性化に対する制御情報を伝送する場合、リソースブロック割当及びホッピングリソース割当フィールド、ＭＣＳ及びリダンダンシバージョンフィールド、ＴＰＣ命令フィールド、サイクリックシフトフィールド、及びＣＱＩ要請フィールドの組合せをナル情報として使用することができる。
【０１２２】
次の表は、ＰＵＳＣＨのスケジューリング及び半持続的スケジューリング活性化のためのＤＣＩフォーマット０が伝送する制御情報の第８の実施例を示す。
【０１２３】
【表１０】
2010539847.tif 000019
【０１２４】
ここで、リソースブロック割当及びホッピングリソース割当フィールドのＭを２、ＭＣＳ及びリダンダンシバージョンフィールドのＮを１のように具体的に設定してもよい。
【０１２５】
（９）第９の実施例
第９の実施例は、第７の実施例の具体的な実施例である。ＤＣＩフォーマット０を介して半持続的スケジューリング活性化に対する制御情報を伝送する場合、リソースブロック割当及びホッピングリソース割当フィールド、ＭＣＳ及びリダンダンシバージョンフィールド、新しいデータインジケータフィールド、ＴＰＣ命令フィールド、サイクリックシフトフィールド、及びＣＱＩ要請フィールドの組合せをナル情報として使用することができる。第８の実施例の情報フィールド組合せに新しいデータインジケータフィールドが追加されてナル情報として使われる場合である。
【０１２６】
次の表は、ＰＵＳＣＨのスケジューリング及び半持続的スケジューリング活性化のためのＤＣＩフォーマット０が伝送する制御情報の第９の実施例を示す。
【０１２７】
【表１１】
2010539847.tif 000020
【０１２８】
ここで、リソースブロック割当及びホッピングリソース割当フィールドのＭを２、ＭＣＳ及びリダンダンシバージョンフィールドのＮを１のように具体的に設定してもよい。
【０１２９】
（１０）第１０の実施例
第１０の実施例は、第７の実施例の具体的な実施例である。ＤＣＩフォーマット０を介して半持続的スケジューリング活性化に対する制御情報を伝送する場合、リソースブロック割当及びホッピングリソース割当フィールドと、ＭＣＳ及びリダンダンシバージョンフィールドとの関係に応じて、前記二つのフィールドに対してナル情報を使用することができる。ＲＲＣにおける別途指示によって二つのフィールドを連係することができる。前記二つのフィールド外に、ＴＰＣ命令フィールド、サイクリックシフトフィールド、及びＣＱＩ要請フィールドの組合せをナル情報として使用することができる。
【０１３０】
次の表は、ＰＵＳＣＨのスケジューリング及び半持続的スケジューリング活性化のためのＤＣＩフォーマット０が伝送する制御情報の第１０の実施例を示す。
【０１３１】
【表１２】
2010539847.tif 000021
【０１３２】
ここで、Ｒは、１，２，…、または
【数８】
2010539847.tif 000022
ビットであってもよい。または、Ｒを３または４のように具体的に設定してもよい。
【０１３３】
（１１）第１１の実施例
第１１の実施例は、第７の実施例の具体的な実施例である。ＤＣＩフォーマット０を介して半持続的スケジューリング活性化に対する制御情報を伝送する場合、第１０の実施例の情報フィールド組合せに新しいデータインジケータフィールドが追加されてナル情報として使われる場合である。
【０１３４】
次の表は、ＰＵＳＣＨのスケジューリング及び半永久的スケジューリング活性化のためのＤＣＩフォーマット０が伝送する制御情報の第１１の実施例を示す。
【０１３５】
【表１３】
2010539847.tif 000023
【０１３６】
ここで、Ｒは、１，２，…、または
【数９】
2010539847.tif 000024
ビットであってもよい。または、Ｒを３または４のように具体的に設定してもよい。
【０１３７】
次に、半持続的スケジューリング活性化を指示する制御情報をＤＣＩフォーマット１Ａを介して伝送する方法を説明する。ＤＣＩフォーマット１Ａを介して一つのＰＤＳＣＨコードワードの簡単な（ｃｏｍｐａｃｔ）スケジューリングのための制御情報と半持続的スケジューリング活性化を指示する制御情報とを伝送することができる。半持続的スケジューリング活性化は、アップリンクＶｏＩＰ伝送のために使われることができる。
【０１３８】
次の表は、ＤＣＩフォーマット１Ａが伝送する制御情報の例を示す。
【０１３９】
【表１４】
2010539847.tif 000025
【０１４０】
ＤＣＩフォーマット１Ａは、複数の情報フィールドを含む。情報フィールドには、（１）フラッグ（Ｆｌａｇ）フィールド、（２）地域化された（ｌｏｃａｌｉｚｅｄ）／分散された（ｄｉｓｔｒｉｂｕｔｅｄ）ＶＲＢ（Ｖｉｒｔｕａｌ  Ｒｅｓｏｕｒｃｅ  Ｂｌｏｃｋ）割当フラッグフィールド、（３）リソースブロック割当フィールド、（４）ＭＣＳ（Ｍｏｄｕｌａｔｉｏｎ  ａｎｄ  Ｃｏｄｉｎｇ  Ｓｃｈｅｍｅ）フィールド、（５）ＨＡＲＱ（Ｈｙｂｒｉｄ  Ａｕｔｏｍａｔｉｃ  Ｒｅｐｅａｔ  ＲｅＱｕｅｓｔ）プロセス番号フィールド、（６）新しいデータインジケータ（Ｎｅｗ  ｄａｔａ  ｉｎｄｉｃａｔｏｒ）フィールド、（７）リダンダンシバージョン（Ｒｅｄｕｎｄａｎｃｙ  ｖｅｒｓｉｏｎ）フィールド、（８）ＴＰＣ命令（ＴＰＣ  ｃｏｍｍａｎｄ）フィールド、（９）ダウンリンク割当インデックスフィールドで構成される。各情報フィールドのビットの大きさは、例示に過ぎず、フィールドのビットの大きさを制限することではない。
【０１４１】
フラッグフィールドは、フォーマット０及びフォーマット１Ａの区別のための情報フィールドである。もし、ＤＣＩフォーマット１ＡのＣＲＣがＲＡ−ＲＮＴＩ、Ｐ−ＲＮＴＩまたはＳＩ−ＲＮＴＩでスクランブルされた場合、フラッグフィールドのビットは、ＴＢＳ（Ｔｒａｎｓｐｏｒｔ  Ｂｌｏｃｋ  Ｓｉｚｅ）テーブルのコラム
【数１０】
2010539847.tif 000026
を指示する。フラッグフィールドが‘０’であれば、
【数１１】
2010539847.tif 000027
は２であり、フラッグフィールドが‘１’であれば、
【数１２】
2010539847.tif 000028
は３である。その他、フラッグフィールドは、ＤＣＩフォーマットを指示する。
【０１４２】
リソースブロック割当フィールドは、地域化されたＶＲＢまたは分散されたＶＲＢに応じてフィールドのビットの大きさが変えられることができる。地域化されたＶＲＢのためのリソースブロック割当フィールドは、
【数１３】
2010539847.tif 000029
ビットをリソース割当に提供する。ここで、
【数１４】
2010539847.tif 000030
は、ダウンリンクスロットに含まれるリソースブロックの数であり、セルで設定されるダウンリンク伝送帯域幅に従属する。分散されたＶＲＢのためのリソースブロック割当フィールドは、
【数１５】
2010539847.tif 000031
が５０未満である場合及び
【数１６】
2010539847.tif 000032
が５０以上である場合に応じて変えられる。
【数１７】
2010539847.tif 000033
が５０未満、或いはＤＣＩフォーマット１ＡのＣＲＣがＲＡ−ＲＮＴＩ、Ｐ−ＲＮＴＩまたはＳＩ−ＲＮＴＩでスクランブルされた場合、
【数１８】
2010539847.tif 000034
ビットをリソース割当に提供する。
【数１９】
2010539847.tif 000035
が５０以上である場合、
【数２０】
2010539847.tif 000036
ビットをリソース割当に提供する。
【０１４３】
もし、ＤＣＩフォーマット１ＡのＣＲＣがＲＡ−ＲＮＴＩ、Ｐ−ＲＮＴＩまたはＳＩ−ＲＮＴＩでスクランブルされた場合、新しいデータインジケータフィールドは、ギャップ値（ｇａｐ  ｖａｌｕｅ）を指示する。例えば、新しいデータインジケータフィールドが‘０’であれば、ＮｇａｐはＮｇａｐ，１であり、‘１’であれば、ＮｇａｐはＮｇａｐ，２である。その他、新しいデータインジケータフィールドは、新しいデータを指示する。
【０１４４】
ＰＤＳＣＨに対するチャネル割当の制御情報は、前述の全てのフィールドを使用して表現される。これに伴い、ＰＤＳＣＨに対するチャネル割当のためのＤＣＩフォーマット１Ａは、基準情報サイズ（ｒｅｆｅｒｅｎｃｅ  ｉｎｆｏｒｍａｔｉｏｎ  ｓｉｚｅ）を有する制御情報になる。
【０１４５】
以下、半持続的スケジューリング活性化のための制御情報をＤＣＩフォーマット１Ａを介して伝送する場合、ナル情報として使用することができる情報フィールドの例を説明する。
【０１４６】
（１２）第１２の実施例
ダウンリンクＶｏＩＰパケット伝送のための半持続的スケジューリング活性化に対する制御情報は、ダウンリンクＶｏＩＰ伝送に対するＨＡＲＱプロセスナンバを知らせる必要がない。この場合、ＨＡＲＱプロセスナンバフィールドをナル情報として使用することができる。例えば、ダウンリンクＶｏＩＰ伝送に対する非周期的（ａｐｅｒｉｏｄｉｃ）ＰＵＳＣＨフィードバック（ｆｅｅｄｂａｃｋ）なしに端末がＰＵＣＣＨ基盤フィードバックのみを遂行すると仮定する時、ＨＡＲＱプロセスナンバフィールドをナル情報として使用することができる。
【０１４７】
次の表は、ＰＤＳＣＨに対するチャネル割当及び半持続的スケジューリング活性化のためのＤＣＩフォーマット１Ａが伝送する制御情報の第１２の実施例を示す。
【０１４８】
【表１５】
2010539847.tif 000037
【０１４９】
ダウンリンク半持続的スケジューリング活性化のための制御情報の場合、ＨＡＲＱプロセスナンバフィールドを‘０’の値に指定する。ＨＡＲＱプロセスナンバフィールドを除いたＤＣＩフォーマット１Ａの残りのフィールドは、表１４で説明した通りである。
【０１５０】
（１３）第１３の実施例
ダウンリンクＶｏＩＰパケット伝送のための半持続的スケジューリング活性化に対する制御情報は、別途の閉ループ電力制御が必要なく、開ループ系列またはハイブリッド系列の電力制御に基づいてＰＵＣＣＨ伝送の送信電力を決定すると仮定する。半静的リソースブロック割当状況まで考慮してＴＰＣ命令フィールドを使用しない時、ＴＰＣ命令フィールドをナル情報として使用することができる。
【０１５１】
次の表は、ＰＤＳＣＨに対するチャネル割当及び半持続的スケジューリング活性化のためのＤＣＩフォーマット１Ａが伝送する制御情報の第１３の実施例を示す。
【０１５２】
【表１６】
2010539847.tif 000038
【０１５３】
ダウンリンク半持続的スケジューリング活性化のための制御情報の場合、ＴＰＣ命令フィールドの値を全部‘０’に指定する。ＴＰＣ命令フィールドを除いたＤＣＩフォーマット１Ａの残りのフィールドは、表１４で説明した通りである。
【０１５４】
（１４）第１４の実施例
ダウンリンクＶｏＩＰパケット伝送のための半持続的スケジューリング活性化に対する制御情報は、新しいデータインジケータフィールドを特定の情報伝達に潜在的に用いなくてもよい。この場合、新しいデータインジケータフィールドをナル情報として使用することができる。
【０１５５】
次の表は、ＰＤＳＣＨに対するチャネル割当及び半持続的スケジューリング活性化のためのＤＣＩフォーマット１Ａが伝送する制御情報の第１４の実施例を示す。
【０１５６】
【表１７】
2010539847.tif 000039
【０１５７】
ダウンリンク半持続的スケジューリング活性化のための制御情報の場合、新しいデータインジケータフィールドの値を‘０’に指定する。新しいデータインジケータフィールドを除いたＤＣＩフォーマット１Ａの残りのフィールドは、表１４で説明した通りである。
【０１５８】
（１５）第１５の実施例
ダウンリンクＶｏＩＰパケット伝送のための半持続的スケジューリング活性化に対する制御情報は、リダンダンシバージョンフィールドを特定の情報伝達に潜在的に用いなくてもよい。この場合、リダンダンシバージョンフィールドをナル情報として使用することができる。
【０１５９】
次の表は、ＰＤＳＣＨに対するチャネル割当及び半持続的スケジューリング活性化のためのＤＣＩフォーマット１Ａが伝送する制御情報の第１４の実施例を示す。
【０１６０】
【表１８】
2010539847.tif 000040
【０１６１】
ダウンリンク半持続的スケジューリング活性化のための制御情報の場合、リダンダンシバージョンフィールドの値を全部‘０’に指定する。リダンダンシバージョンフィールドを除いたＤＣＩフォーマット１Ａの残りのフィールドは、表１４で説明した通りである。
【０１６２】
（１６）第１６の実施例
ダウンリンクＶｏＩＰパケット伝送のための半持続的スケジューリング活性化に対する制御情報は、ＭＣＳをＭＣＳフィールドで指示せずに別途のシグナリングを用いることができる。また、変調方式及びコーディングレートの全ての場合に対して一部場合のみを使用してもよい。この場合、ＭＣＳフィールドの５ビットのうちＱビットをナル情報として使用することができる。ここで、Ｑは、１〜５の自然数である。
【０１６３】
次の表は、ＰＤＳＣＨに対するチャネル割当及び半持続的スケジューリング活性化のためのＤＣＩフォーマット１Ａが伝送する制御情報の第１６の実施例を示す。
【０１６４】
【表１９】
2010539847.tif 000041
【０１６５】
ダウンリンク半持続的スケジューリング活性化のための制御情報の場合、ＭＣＳフィールドの５ビットのうちＱビットを‘０’に指定する。ここで、ここで、Ｑは、１〜５の自然数である。ＭＣＳフィールドを除いたＤＣＩフォーマット１Ａの残りのフィールドは、表１４で説明した通りである。
【０１６６】
（１７）第１７の実施例
ダウンリンクＶｏＩＰパケット伝送のための半持続的スケジューリング活性化に対する制御情報は、ＶｏＩＰが全体システム帯域幅上で割り当てられることができる帯域幅を限定してもよい。この場合、リソースブロック割当フィールドをナル情報として使用することができる。
【数２１】
2010539847.tif 000042
ビットのうちＰビットをナル情報として使用することができる。ここで、Ｐは、１〜
【数２２】
2010539847.tif 000043
の自然数である。
【０１６７】
次の表は、ＰＤＳＣＨに対するチャネル割当及び半持続的スケジューリング活性化のためのＤＣＩフォーマット１Ａが伝送する制御情報の第１７の実施例を示す。
【０１６８】
【表２０】
2010539847.tif 000044
【０１６９】
ダウンリンク半持続的スケジューリング活性化のための制御情報の場合、リソースブロック割当フィールドの
【数２３】
2010539847.tif 000045
ビットのうちＰビットを‘０’に指定する。ここで、Ｐは、１〜
【数２４】
2010539847.tif 000046
の自然数である。リソースブロック割当フィールドを除いたＤＣＩフォーマット０の残りのフィールドは、表１４で説明した通りである。
【０１７０】
（１８）第１８の実施例
ＤＣＩフォーマット１Ａ上の情報フィールドのうち複数の情報フィールドの組合せをナル情報として使用する。任意の情報フィールドを組合せてナル情報として使用することができる。全体情報フィールドをナル情報として使用することもできる。第１２ないし第１７の実施例において、ナル情報として使われる各々の情報フィールドが複数の情報フィールドの組合せに使われる。例えば、第１６の実施例で説明したように、ＭＣＳを別途のシグナリングを用いる場合、ＭＣＳフィールドの５ビットのうちＱビットを複数の情報フィールドの組合せに使用することができる。ここで、Ｑは、１〜５の自然数である。また、第１７の実施例で説明したように、リソースブロック割当フィールド
【数２５】
2010539847.tif 000047
ビットのうちＰビットを情報フィールドの組合せに使用することができる。ここで、Ｐは１〜
【数２６】
2010539847.tif 000048
の自然数である。ＦＤＤシステムの場合、第１２ないし第１７の実施例においてナル情報として使われる各々の情報フィールドに付加してダウンリンクインデックスフィールドのビットをナル情報として使用することができる。
【０１７１】
（１９）第１９の実施例
第１９の実施例は、第１８の実施例の具体的な実施例である。ＤＣＩフォーマット１Ａを介して半持続的スケジューリング活性化に対する制御情報を伝送する場合、リソースブロック割当フィールド、ＭＣＳフィールド、及びリダンダンシバージョンフィールドの組合せをナル情報として使用する。
【０１７２】
次の表は、ＰＤＳＣＨに対するチャネル割当及び半持続的スケジューリング活性化のためのＤＣＩフォーマット１Ａが伝送する制御情報の第１９の実施例を示す。
【０１７３】
【表２１】
2010539847.tif 000049
【０１７４】
（２０）第２０の実施例
第２０の実施例は、第１８の実施例の具体的な実施例である。ＤＣＩフォーマット１Ａを介して半持続的スケジューリング活性化に対する制御情報を伝送する場合、リソースブロック割当フィールド、ＭＣＳフィールド、新しいデータインジケータフィールド、及びリダンダンシバージョンフィールドの組合せをナル情報として使用する。第１９の実施例の情報フィールド組合せに新しいデータインジケータフィールドが追加されてナル情報として使われる場合である。
【０１７５】
次の表は、ＰＤＳＣＨに対するチャネル割当及び半持続的スケジューリング活性化のためのＤＣＩフォーマット１Ａが伝送する制御情報の第１９の実施例を示す。
【０１７６】
【表２２】
2010539847.tif 000050
【０１７７】
（２１）第２１の実施例
第２１の実施例は、第１８の実施例の具体的な実施例である。ＤＣＩフォーマット１Ａを介して半持続的スケジューリング活性化に対する制御情報を伝送する場合、リソースブロック割当フィールド、ＭＣＳフィールド、ＨＡＲＱプロセス番号フィールド、及びリダンダンシバージョンフィールドの組合せをナル情報として使用する。第１９の実施例の情報フィールド組合せにＨＡＲＱプロセス番号フィールドが追加されてナル情報として使われる場合である。
【０１７８】
【表２３】
2010539847.tif 000051
【０１７９】
（２２）第２２の実施例
第２２の実施例は、第１８の実施例の具体的な実施例である。ＤＣＩフォーマット１Ａを介して半持続的スケジューリング活性化に対する制御情報を伝送する場合、リソースブロック割当フィールド、ＭＣＳフィールド、ＨＡＲＱプロセス番号フィールド、新しいデータインジケータフィールド、及びリダンダンシバージョンフィールドの組合せをナル情報として使用する。第２１の実施例の情報フィールドの組合せに新しいデータインジケータフィールドが追加されてナル情報として使われる場合である。
【０１８０】
【表２４】
2010539847.tif 000052
【０１８１】
（２３）第２３の実施例
第２３の実施例は、第１８の実施例の具体的な実施例である。ＤＣＩフォーマット１Ａを介して半持続的スケジューリング活性化に対する制御情報を伝送する場合、リソースブロック割当フィールドとＭＣＳフィールドとの関係に応じて、前記二つのフィールドに対してナル情報を使用することができる。ＲＲＣにおける別途指示によって二つのフィールドを連係することができる。前記二つのフィールド外に、リダンダンシバージョンフィールドの組合せをナル情報として使用することができる。
【０１８２】
次の表は、ＰＤＳＣＨに対するチャネル割当及び半持続的スケジューリング活性化のためのＤＣＩフォーマット１Ａが伝送する制御情報の第２３の実施例を示す。
【０１８３】
【表２５】
2010539847.tif 000053
【０１８４】
ここで、Ｓは、１，２，…、または
【数２７】
2010539847.tif 000054
ビットであってもよい。
【０１８５】
（２４）第２４の実施例
第２４の実施例は、第１８の実施例の具体的な実施例である。ＤＣＩフォーマット１Ａを介して半持続的スケジューリング活性化に対する制御情報を伝送する場合、リソースブロック割当フィールドとＭＣＳフィールドとの関係に応じて、前記二つのフィールドに対してナル情報を使用することができる。ＲＲＣにおける別途指示によって二つのフィールドを連係することができる。前記二つのフィールド外に、新しいデータインジケータフィールド及びリダンダンシバージョンフィールドの組合せをナル情報として使用することができる。第２３の実施例の情報フィールド組合せに新しいデータインジケータフィールドが追加されてナル情報として使われる場合である。
【０１８６】
次の表は、ＰＤＳＣＨに対するチャネル割当及び半持続的スケジューリング活性化のためのＤＣＩフォーマット１Ａが伝送する制御情報の第２４の実施例を示す。
【０１８７】
【表２６】
2010539847.tif 000055
【０１８８】
ここで、Ｓは、１，２，…、または
【数２８】
2010539847.tif 000056
ビットであってもよい。
【０１８９】
（２５）第２５の実施例
第２５の実施例は、第１８の実施例の具体的な実施例である。ＤＣＩフォーマット１Ａを介して半持続的スケジューリング活性化に対する制御情報を伝送する場合、リソースブロック割当フィールドとＭＣＳフィールドとの関係に応じて、前記二つのフィールドに対してナル情報を使用することができる。ＲＲＣにおける別途指示によって二つのフィールドを連係することができる。前記二つのフィールド外に、ＨＡＲＱプロセス番号フィールド及びリダンダンシバージョンフィールドの組合せをナル情報として使用することができる。第２３の実施例の情報フィールド組合せにＨＡＲＱプロセス番号フィールドが追加されてナル情報として使われる場合である。
【０１９０】
次の表は、ＰＤＳＣＨに対するチャネル割当及び半持続的スケジューリング活性化のためのＤＣＩフォーマット１Ａが伝送する制御情報の第２５の実施例を示す。
【０１９１】
【表２７】
2010539847.tif 000057
【０１９２】
ここで、Ｓは、１，２，…、または
【数２９】
2010539847.tif 000058
ビットであってもよい。
【０１９３】
（２６）第２６の実施例
第２６の実施例は、第１８の実施例の具体的な実施例である。ＤＣＩフォーマット１Ａを介して半持続的スケジューリング活性化に対する制御情報を伝送する場合、リソースブロック割当フィールドとＭＣＳフィールドとの関係に応じて、前記二つのフィールドに対してナル情報を使用することができる。ＲＲＣにおける別途指示によって二つのフィールドを連係することができる。前記二つのフィールド外に、ＨＡＲＱプロセス番号フィールド、新しいデータインジケータフィールド及びリダンダンシバージョンフィールドの組合せをナル情報として使用することができる。第２５の実施例の情報フィールド組合せに新しいデータチウッインジケータフィールドが追加されてナル情報として使われる場合である。
【０１９４】
次の表は、ＰＤＳＣＨに対するチャネル割当及び半持続的スケジューリング活性化のためのＤＣＩフォーマット１Ａが伝送する制御情報の第２６の実施例を示す。
【０１９５】
【表２８】
2010539847.tif 000059
【０１９６】
ここで、Ｓは、１，２，…、または
【数３０】
2010539847.tif 000060
ビットであってもよい。
【０１９７】
（２７）第２７の実施例
ＤＣＩフォーマット１は、一般的なリソース割当に基づいくＰＤＳＣＨに対するチャネル割当の制御情報及びダウンリンクＶｏＩＰパケット伝送のための半持続的スケジューリング活性化のための制御情報の伝送に使われることができる。第１２ないし第２６の実施例は、特定のリソース割当に基づくＰＤＳＣＨに対するチャネル割当の制御情報と、ダウンリンクＶｏＩＰパケット伝送のための半持続的スケジューリング活性化のための制御情報とが、ＤＣＩフォーマット１Ａの伝送される状況でＤＣＩフォーマット１Ａ内の情報フィールドをナル情報として使用する方法である。第１２ないし第２６の実施例における方法は、半持続的スケジューリング活性化のための制御情報がＤＣＩフォーマット１を介して伝送される場合にも同一に適用されることができる。ＤＣＩフォーマット１内の情報フィールドもナル情報として使われることができる。
【０１９８】
（２８）第２８の実施例
ＤＣＩフォーマット２は、空間多重化モード（ｓｐａｔｉａｌ  ｍｕｌｔｉｐｌｅｘｉｎｇ  ｍｏｄｅ）に設定された端末のためのＰＤＳＣＨスケジューリングのための制御情報、及びダウンリンクＶｏＩＰパケット伝送のための半持続的スケジューリング活性化のための制御情報の伝送に使われることができる。第１２ないし第２６の実施例における方法は、第１２ないし第２６の実施例における方法は、半持続的スケジューリング活性化のための制御情報がＤＣＩフォーマット２を介して伝送される場合にも同一に適用されることができる。ＤＣＩフォーマット２内の情報フィールドもナル情報として使われることができる。
【０１９９】
ＤＣＩフォーマット２にはＨＡＲＱ交換（ｓｗａｐ）フラッグフィールドがある。ＤＣＩフォーマット２内のナル情報として使われる情報フィールドに付加してＨＡＲＱ交換フラッグフィールドもナル情報として使用することができる。ＨＡＲＱ交換フラッグフィールド及び他の情報フィールドの全ての組合せに対してナル情報として使用することができる。
【０２００】
このように、無線通信システムにおいて正確度を高めることができる制御情報検出方法を提供することができる。エラー確認フィールドの特定値は、仮想（ｖｉｒｔｕａｌ）ＣＲＣとして活用することができる。端末は、制御情報検出の際、仮想ＣＲＣを介してＣＲＣエラーチェックの正確度を高めることができる。即ち、無線リソースを效率的に活用することができ、且つ制御情報の正確な検出が可能になる。従って、全体システム性能が向上されることができる。
【０２０１】
前述した全ての機能は、前記機能を遂行するようにコーディングされたソフトウェアやプログラムコードなどにともなうマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサによって遂行されることができる。前記コードの設計、開発及び具現は、本発明の説明に基づいて当業者に自明である。
【０２０２】
以上、本発明に対して実施例を参照して説明したが、該当技術分野の通常の知識を有する者は、本発明の技術的思想及び領域から外れない範囲内で本発明を多様に修正及び変更させて実施することができることを理解することができる。従って、前述した実施例に限定されることではなく、本発明は、特許請求の範囲内の全ての実施例を含む。
【符号の説明】
【０２０３】
１０  端末
２０  基地局
５０  端末
５１  プロセッサ
５２  メモリ
５３  ＲＦ部
５４  ディスプレー部
５５  使用者インターフェース部
【図１】
2010539847.tif 000061
【図２】
2010539847.tif 000062
【図３】
2010539847.tif 000063
【図４】
2010539847.tif 000064
【図５】
2010539847.tif 000065
【図６】
2010539847.tif 000066
【図７】
2010539847.tif 000067
【図８】
2010539847.tif 000068
【図９】
2010539847.tif 000069
【図１０】
2010539847.tif 000070
【図１１】
2010539847.tif 000071
【図１２】
2010539847.tif 000072
【図１３】
2010539847.tif 000073
【図１４】
2010539847.tif 000074
【図１５】
2010539847.tif 000075
【図１６】
2010539847.tif 000076
【図１７】
2010539847.tif 000077
【図１８】
2010539847.tif 000078
【図１９】
2010539847.tif 000079
【国際調査報告】
2010539847.tif 000080
2010539847.tif 000081